(57)【要約】本発明の情報記録媒体１００は、所定の周期で蛇行するトラック１０と、トラック１０に隣接する複数のプレピット２１および２２とを備える。複数のフレームユニット１１および１２のそれぞれに対して複数のプレピット２１および２２のうちの少なくとも１つが割り当てられている。複数のフレームユニット１１および１２のそれぞれは、立ち上がり部分よりも立ち下がり部分が急峻な第１の蛇行形状１１１、および立ち下がり部分よりも立ち上がり部分が急峻な第２の蛇行形状１１２の少なくとも一方を有している。第１の蛇行形状１１１は第１の情報を表しており、第２の蛇行形状１１２は第２の情報を表しており、第１の情報と第２の情報とは互いに異なっている。【特許請求の範囲】
【請求項１】
所定の周期で蛇行するトラックと、
前記トラックに隣接する複数のプレピットと
を備えた情報記録媒体であって、
前記トラックは、複数のフレームユニットを備え、前記複数のフレームユニットのそれぞれに対して前記複数のプレピットのうちの少なくとも１つが割り当てられており、
前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、
前記第１の蛇行形状は第１の情報を表しており、前記第２の蛇行形状は第２の情報を表しており、
前記第１の情報と前記第２の情報とは互いに異なる、情報記録媒体。
【請求項２】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットは、前記所定のフレームユニットの形状が表す前記第１の情報または前記第２の情報に対応する第３の情報を表している、請求項１に記載の情報記録媒体。
【請求項３】
前記第３の情報は、前記所定のフレームユニットの形状が表す前記第１の情報または前記第２の情報と同じ内容を示している、請求項２に記載の情報記録媒体。
【請求項４】
前記複数のフレームユニットのそれぞれに割り当てられた前記少なくとも１つのプレピットは、対応するフレームユニットの所定の位置に隣接している、請求項１に記載の情報記録媒体。
【請求項５】
前記第１の蛇行形状および前記第２の蛇行形状のそれぞれは、１ビット情報を表す単位形状であり、
前記複数のフレームユニットは、前記単位形状の部分を互いに同じ個数有している、請求項１に記載の情報記録媒体。
【請求項６】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットは、前記ワードユニットの先頭を示す情報を表している、請求項１に記載の情報記録媒体。
【請求項７】
請求項１に記載の情報記録媒体へのデータの記録および前記情報記録媒体からのデータの再生のうちの少なくとも一方を実行する装置であって、
前記情報記録媒体にレーザ光を照射したときの前記情報記録媒体からの反射光に基づいて得られる信号に含まれる前記第１の情報および前記第２の情報を示す第１の信号を出力する第１の信号出力部と、
前記反射光に基づいて得られる前記信号に含まれる前記トラックの蛇行の周波数を示す第２の信号を出力する第２の信号出力部と、
前記反射光に基づいて得られる前記信号に含まれる前記プレピットが表す第３の情報を示す第３の信号を出力する第３の信号出力部と
を備えた、装置。
【請求項８】
前記第１の信号の値を所定の周期で検出して積算する積算部と、
前記積算した結果に基づいて前記第１の情報および前記第２の情報を検出する第１の検出部と
をさらに備える、請求項７に記載の装置。
【請求項９】
前記第１の蛇行形状および前記第２の蛇行形状のそれぞれは、１ビット情報を表す単位形状であり、
前記複数のフレームユニットは、前記単位形状の部分を互いに同じ個数有しており、
前記装置は、所定の回数をカウントするカウンタ部をさらに備え、
前記所定の回数は、１つの前記フレームユニットが有する前記単位形状の部分の個数に対応した回数であり、
前記積算部は、前記カウンタ部が前記所定の回数をカウントする毎に前記積算した結果をリセットする、請求項８に記載の装置。
【請求項１０】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットが表す前記第３の情報は、前記ワードユニットの先頭を示しており、
前記装置は、前記第３の信号から前記ワードユニットの先頭を示す前記第３の情報を検出する第２の検出部をさらに備え、
前記カウンタ部は、前記第２の検出部が前記ワードユニットの先頭を示す前記第３の情報を検出すると、カウント数を初期値に設定する、請求項９に記載の装置。
【請求項１１】
前記複数のフレームユニットは、２つ以上の前記フレームユニットを備える複数のワードユニットに分けられており、
前記複数のワードユニットは、２つ以上の前記ワードユニットを備える複数のブロックユニットに分けられており、
前記トラックのうちの前記複数のブロックユニットのそれぞれの先頭に対応する位置には、前記複数のブロックユニットのそれぞれの先頭を識別するための識別情報が記録されており、
前記装置は、
前記情報記録媒体からの前記反射光に基づいて得られる再生信号から前記識別情報を検出する第３の検出部をさらに備え、
前記カウンタ部は、前記第３の検出部が前記識別情報を検出すると、カウント数を初期値に設定する、請求項９に記載の装置。
【請求項１２】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットが表す前記第３の情報は、前記ワードユニットの先頭を示しており、
前記複数のワードユニットは、２つ以上の前記ワードユニットを備える複数のブロックユニットに分けられており、
前記トラックのうちの前記複数のブロックユニットのそれぞれの先頭に対応する位置には、前記複数のブロックユニットのそれぞれの先頭を識別するための識別情報が記録されており、
前記装置は、
前記第３の信号から前記ワードユニットの先頭を示す前記第３の情報を検出する第２の検出部と、
前記情報記録媒体からの前記反射光に基づいて得られる再生信号から前記識別情報を検出する第３の検出部と
をさらに備え、
前記カウンタ部は、前記第２の検出部による前記ワードユニットの先頭を示す前記第３の情報の検出と、前記第３の検出部による前記識別情報の検出とのうちの一方に応じて、カウント数を初期値に設定する、請求項９に記載の装置。
【請求項１３】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、
前記装置は、
前記レーザ光が前記トラックを第１の速度で走査するときは、前記第１の情報、前記第２の情報および前記第３の情報のうちの前記第１の情報および前記第２の情報を選択し、前記レーザ光が前記トラックを第２の速度で走査するときは、前記第１の情報、前記第２の情報および前記第３の情報のうちの前記第３の情報を選択するセレクタ部をさらに備え、
前記第１の速度は前記第２の速度よりも速い、請求項７に記載の装置。
【請求項１４】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、
前記装置は、
記録動作時は、前記第１の情報、前記第２の情報および前記第３の情報のうちの前記第１の情報および前記第２の情報を選択し、再生動作時は、前記第１の情報、前記第２の情報および前記第３の情報のうちの前記第３の情報を選択するセレクタ部をさらに備える、請求項７に記載の装置。
【請求項１５】
前記第１の信号から前記第１の情報および前記第２の情報を検出するときの第１の誤り率と、前記第３の信号から前記第３の情報を検出するときの第２の誤り率とを比較し、前記第１の誤り率が前記第２の誤り率よりも低い場合は、前記第１の情報、前記第２の情報および前記第３の情報のうちの前記第１の情報および前記第２の情報を選択し、前記第１の誤り率が前記第２の誤り率よりも高い場合は、前記第１の情報、前記第２の情報および前記第３の情報のうちの前記第３の情報を選択するセレクタ部をさらに備える、請求項７に記載の装置。
【請求項１６】
請求項１に記載の情報記録媒体へのデータの記録および前記情報記録媒体からのデータの再生のうちの少なくとも一方を実行する方法であって、
前記情報記録媒体にレーザ光を照射したときの前記情報記録媒体からの反射光に基づいて得られる信号に含まれる前記第１の情報および前記第２の情報を示す第１の信号を出力する第１のステップと、
前記反射光に基づいて得られる前記信号に含まれる前記トラックの蛇行の周波数を示す第２の信号を出力する第２のステップと、
前記反射光に基づいて得られる前記信号に含まれる前記プレピットが表す第３の情報を示す第３の信号を出力する第３のステップと
を包含する、方法。
【請求項１７】
複数の記録層を備えた情報記録媒体であって、
前記複数の記録層のそれぞれは、
所定の周期で蛇行するトラックと、
前記トラックに隣接する複数のプレピットと
を備え、
前記トラックは、複数のフレームユニットを備え、前記複数のフレームユニットのそれぞれに対して前記複数のプレピットのうちの少なくとも１つが割り当てられており、
前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、
前記第１の蛇行形状は第１の情報を表しており、前記第２の蛇行形状は第２の情報を表しており、
前記第１の情報と前記第２の情報とは互いに異なる、情報記録媒体。
【発明の詳細な説明】
【技術分野】
【０００１】  本発明は、情報記録媒体、およびその情報記録媒体を用いてデータの記録および／または再生を実行する装置に関する。本発明の情報記録媒体は、例えば、データの追記可能又は書き換え可能な光ディスク媒体であり、そのトラックは蛇行形状を有している。
【背景技術】
【０００２】  現在普及している追記可能な光ディスク媒体または書き換え可能な光ディスク媒体の中には、ランドプレピット（Ｌａｎｄ  Ｐｒｅ−Ｐｉｔｓ（以下、「ＬＰＰ」と呼ぶ））を用いてアドレスを表す方式が採用された光ディスク媒体がある（例えば、ＤＶＤ−Ｒディスク媒体）。このような光ディスク媒体は、例えば特許文献１に開示されている。【０００３】  図１０は、ＬＰＰを備えた光ディスク媒体１０００の記録層の一部を拡大して示す平面図である。【０００４】  光ディスク媒体１０００の記録層に形成されたトラックグルーブ（トラック溝）１１００は、一定周期でサイン波状に蛇行（ウォブリング）している。トラックグルーブ１１００が形成されていない領域の特定位置には、ＬＰＰ１２００が形成されている。このＬＰＰ１２００の有無などにより、１ビット情報を光ディスク媒体１０００の記録層に記録しておくことができる。【０００５】  例えば、ＬＰＰ１２００がアドレス情報を表すことにより、トラックグルーブ１１００上のユーザデータを記録するための領域にオーバーヘッドが生じず、ユーザデータを記録するための記録容量を大きく確保できる。【０００６】  ユーザデータはトラックグルーブ１１００に沿って記録されるが、ＬＰＰ１２００はトラックグルーブ１１００から外れた領域に形成されている。このため、ＬＰＰ１２００上にユーザデータが記録されることはほとんど無く、ユーザデータとＬＰＰ１２００が表す情報とを分離して再生することは比較的容易である。【０００７】  データの再生は、通常、トラック接線方向に沿って分割された受光素子を用いて行なう。分割された受光素子の各領域からの出力信号に基づいて加算信号および差信号が生成される。加算信号からデータを示すＲＦ信号が生成され、差信号から、トラックグルーブ１１００の蛇行状態およびＬＰＰ１２００の状態を示す信号が生成される。通常、ＬＰＰ１２００に対応する信号（ＬＰＰ信号）の振幅は、トラックグルーブ１１００の蛇行に対応する信号（ウォブル信号）の振幅よりも大きいので、それらの信号の間の振幅差を利用してＬＰＰ信号とウォブル信号とを分離することが可能である。例えば、ウォブル信号の振幅よりも大きく、ＬＰＰ信号の振幅よりも小さいしきい値（またはウィンドウ）を用いて差信号を二値化することにより、差信号からＬＰＰ信号をパルス信号として得ることができる。
【特許文献１】特開平９−３２６１３８号公報
【発明の開示】
【発明が解決しようとする課題】
【０００８】  しかしながら、ＬＰＰ信号の周波数はウォブル信号の周波数に比べて格段に高いため、ＳＮ（Ｓｉｇｎａｌ  ｔｏ  Ｎｏｉｓｅ  ｒａｔｉｏ）の悪い条件下では、ＬＬＰ１２００が表す情報を正しく再生できない場合がある。ＳＮの悪い条件とは、例えば高倍速で記録および再生を実行している場合や、光ディスク媒体が２層以上の記録層を有している場合などである。高倍速とは、その光ディスク媒体の規格における標準速よりも速い線速度を指し、例えば、ＤＶＤ規格における標準速（２７Ｍｂｐｓ）の８倍速（２１６Ｍｂｐｓ）程度以上を指す。高倍速での記録再生時にはＬＰＰ信号自体の振幅が低下し、さらに記録時にはレーザ変調信号がノイズとしてＬＰＰ信号に重畳されてしまう。また、光ディスク媒体が２層の記録層を有している場合は、再生時のＳＮが６ｄＢ程度低下する。さらに、記録動作中にオフトラックが発生し、ＬＰＰ１２００の上にデータが上書きされてしまった後、再生を実行する場合も正確なＬＰＰ信号の検出が困難となってしまう。【０００９】  本発明は、上記問題に鑑みてなされたものであり、その目的は、ＳＮの悪い条件下においても正確にアドレス等の情報を再生できる情報記録媒体、およびその情報記録媒体を用いてデータの記録および／または再生を実行する装置を提供することにある。
【課題を解決するための手段】
【００１０】  本発明の情報記録媒体は、所定の周期で蛇行するトラックと、前記トラックに隣接する複数のプレピットとを備えた情報記録媒体であって、前記トラックは、複数のフレームユニットを備え、前記複数のフレームユニットのそれぞれに対して前記複数のプレピットのうちの少なくとも１つが割り当てられており、前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、前記第１の蛇行形状は第１の情報を表しており、前記第２の蛇行形状は第２の情報を表しており、前記第１の情報と前記第２の情報とは互いに異なることを特徴とする。【００１１】  ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレピットは、前記所定のフレームユニットの形状が表す前記第１の情報または前記第２の情報に対応する第３の情報を表している。【００１２】  ある実施形態において、前記第３の情報は、前記所定のフレームユニットの形状が表す前記第１の情報または前記第２の情報と同じ内容を示している。【００１３】  ある実施形態において、前記複数のフレームユニットのそれぞれに割り当てられた前記少なくとも１つのプレピットは、対応するフレームユニットの所定の位置に隣接している。【００１４】  ある実施形態において、前記第１の蛇行形状および前記第２の蛇行形状のそれぞれは、１ビット情報を表す単位形状であり、前記複数のフレームユニットは、前記単位形状の部分を互いに同じ個数有している。【００１５】  ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットは、前記ワードユニットの先頭を示す情報を表している。【００１６】  本発明の装置は、前記情報記録媒体へのデータの記録および前記情報記録媒体からのデータの再生のうちの少なくとも一方を実行する装置であって、前記情報記録媒体にレーザ光を照射したときの前記情報記録媒体からの反射光に基づいて得られる信号に含まれる前記第１の情報および前記第２の情報を示す第１の信号を出力する第１の信号出力部と、前記反射光に基づいて得られる前記信号に含まれる前記トラックの蛇行の周波数を示す第２の信号を出力する第２の信号出力部と、前記反射光に基づいて得られる前記信号に含まれる前記プレピットが表す第３の情報を示す第３の信号を出力する第３の信号出力部とを備えることを特徴とする。【００１７】  ある実施形態において、前記装置は、前記第１の信号の値を所定の周期で検出して積算する積算部と、前記積算した結果に基づいて前記第１の情報および前記第２の情報を検出する第１の検出部とをさらに備える。【００１８】  ある実施形態において、前記第１の蛇行形状および前記第２の蛇行形状のそれぞれは、１ビット情報を表す単位形状であり、前記複数のフレームユニットは、前記単位形状の部分を互いに同じ個数有しており、前記装置は、所定の回数をカウントするカウンタ部をさらに備え、前記所定の回数は、１つの前記フレームユニットが有する前記単位形状の部分の個数に対応した回数であり、前記積算部は、前記カウンタ部が前記所定の回数をカウントする毎に前記積算した結果をリセットする。【００１９】  ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットが表す前記第３の情報は、前記ワードユニットの先頭を示しており、前記装置は、前記第３の信号から前記ワードユニットの先頭を示す前記第３の情報を検出する第２の検出部をさらに備え、前記カウンタ部は、前記第２の検出部が前記ワードユニットの先頭を示す前記第３の情報を検出すると、カウント数を初期値に設定する。【００２０】  ある実施形態において、前記複数のフレームユニットは、２つ以上の前記フレームユニットを備える複数のワードユニットに分けられており、前記複数のワードユニットは、２つ以上の前記ワードユニットを備える複数のブロックユニットに分けられており、前記トラックのうちの前記複数のブロックユニットのそれぞれの先頭に対応する位置には、前記複数のブロックユニットのそれぞれの先頭を識別するための識別情報が記録されており、前記装置は、前記情報記録媒体からの前記反射光に基づいて得られる再生信号から前記識別情報を検出する第３の検出部をさらに備え、前記カウンタ部は、前記第３の検出部が前記識別情報を検出すると、カウント数を初期値に設定する。【００２１】  ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットが表す前記第３の情報は、前記ワードユニットの先頭を示しており、前記複数のワードユニットは、２つ以上の前記ワードユニットを備える複数のブロックユニットに分けられており、前記トラックのうちの前記複数のブロックユニットのそれぞれの先頭に対応する位置には、前記複数のブロックユニットのそれぞれの先頭を識別するための識別情報が記録されており、前記装置は、前記第３の信号から前記ワードユニットの先頭を示す前記第３の情報を検出する第２の検出部と、前記情報記録媒体からの前記反射光に基づいて得られる再生信号から前記識別情報を検出する第３の検出部とをさらに備え、前記カウンタ部は、前記第２の検出部による前記ワードユニットの先頭を示す前記第３の情報の検出と、前記第３の検出部による前記識別情報の検出とのうちの一方に応じて、カウント数を初期値に設定する。【００２２】  ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレ���ットが表す前記第３の情報は、前記所定のフレームユニットの形状が表す前記第１の情報または前記第２の情報と同じ内容を示しており、前記装置は、前記レーザ光が前記トラックを第１の速度で走査するときは、前記第１の情報、前記第２の情報および前記第３の情報のうちの前記第１の情報および前記第２の情報を選択し、前記レーザ光が前記トラックを第２の速度で走査するときは、前記第１の情報、前記第２の情報および前記第３の情報のうちの前記第３の情報を選択するセレクタ部をさらに備え、前記第１の速度は前記第２の速度よりも速い。【００２３】  ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、前記装置は、記録動作時においては、前記第１の情報、前記第２の情報および前記第３の情報のうちの前記第１の情報および前記第２の情報を選択し、再生動作時においては、前記第１の情報、前記第２の情報および前記第３の情報のうちの前記第３の情報を選択するセレクタ部をさらに備える。【００２４】  ある実施形態において、前記第１の信号から前記第１の情報および前記第２の情報を検出するときの第１の誤り率と、前記第３の信号から前記第３の情報を検出するときの第２の誤り率とを比較し、前記第１の誤り率が前記第２の誤り率よりも低い場合は、前記第１の情報、前記第２の情報および前記第３の情報のうちの前記第１の情報および前記第２の情報を選択し、前記第１の誤り率が前記第２の誤り率よりも高い場合は、前記第１の情報、前記第２の情報および前記第３の情報のうちの前記第３の情報を選択するセレクタ部をさらに備える。【００２５】  本発明の方法は、前記情報記録媒体へのデータの記録および前記情報記録媒体からのデータの再生のうちの少なくとも一方を実行する方法であって、前記情報記録媒体にレーザ光を照射したときの前記情報記録媒体からの反射光に基づいて得られる信号に含まれる前記第１の情報および前記第２の情報を示す第１の信号を出力する第１のステップと、前記反射光に基づいて得られる前記信号に含まれる前記トラックの蛇行の周波数を示す第２の信号を出力する第２のステップと、前記反射光に基づいて得られる前記信号に含まれる前記プレピットが表す第３の情報を示す第３の信号を出力する第３のステップとを包含することを特徴とする。【００２６】  本発明の情報記録媒体は、複数の記録層を備えた情報記録媒体であって、前記複数の記録層のそれぞれは、所定の周期で蛇行するトラックと、前記トラックに隣接する複数のプレピットとを備え、前記トラックは、複数のフレームユニットを備え、前記複数のフレームユニットのそれぞれに対して前記複数のプレピットのうちの少なくとも１つが割り当てられており、前記複数のフレームユニットのそれぞれは、立ち上がり部分よりも立ち下がり部分が急峻な第１の蛇行形状、および立ち下がり部分よりも立ち上がり部分が急峻な第２の蛇行形状の少な��とも一方を有しており、前記第１の蛇行形状は第１の情報を表しており、前記第２の蛇行形状は第２の情報を表しており、前記第１の情報と前記第２の情報とは互いに異なることを特徴とする。
【発明の効果】
【００２７】  本発明によれば、トラックは、第１の情報を表す第１の蛇行形状と、第２の情報を表す第２の蛇行形状とを備える。これらの第１の蛇行形状および第２の蛇行形状を組み合わせることにより、アドレス等の情報が表される。トラック上のユーザデータを記録するための領域にアドレス情報を記録しておく必要がないので、ユーザデータを記録するための記録容量を大きく確保することができる。また、所定のフレームユニットの蛇行形状と、その所定のフレームユニットに割り当てられたプレピットとが互いに対応した情報（例えば、同じ情報）を表す構成を採用すれば、プレピットが表す情報を正確に再生できなかった場合でも、フレームユニットの蛇行形状が表す情報を再生することにより、その情報を正確に再生することができる。【００２８】  また、本発明によれば、プレピットが表す情報を基点として第１および第２の情報を示す信号（二次高調波信号）の値を積分することにより、蛇行形状が表す情報を検出することができる。二次高調波信号の値を積分することにより、高域ノイズ成分を除去することができ、蛇行形状が表すアドレスなどの情報を正確に再生することが可能になる。また、一方、ＬＰＰ信号は高い周波数を有しており、低域ノイズ成分の影響を受けにくい。ノイズの種類に応じて二次高調波信号とＬＰＰ信号とを使い分けることにより、アドレス等の情報をより正確に再生することができる。また、例えば、低倍速記録再生時には、従来の情報記録媒体との互換性の観点からＬＰＰ信号を用いて情報を検出し、高倍速記録再生時には二次高調波信号を用いて情報を検出するといった、二次高調波信号およびＬＰＰ信号の双方の利点を考慮した二次高調波信号とＬＰＰ信号との使い分けも可能である。
【図面の簡単な説明】
【００２９】［図１Ａ］本発明の実施形態１による光ディスク媒体が備える記録層の一部を拡大して示す平面図である。
［図１Ｂ］本発明の実施形態１による光ディスク媒体の一部を立体的に示す斜視図である。
［図２Ａ］本発明の実施形態１によるフレームユニットを表すテーブルを示す図である。
［図２Ｂ］本発明の実施形態１によるフレームユニットを表すテーブルを示す図である。
［図２Ｃ］本発明の実施形態１によるフレームユニットを表すテーブルを示す図である。
［図３］本発明の実施形態１によるワードユニットを表すテーブルを示す図である。
［図４］本発明の実施形態１によるブロックユニットを表すテーブルを示す図である。
［図５］本発明の実施形態２による光ディスク装置を示すブロック図である。
［図６］本発明の実施形態２による光ディスク装置の動作を示すタイミングチャートである。
［図７］本発明の実施形態３による光ディスク装置を示すブロック図である。
［図８］本発明の実施形態４による光ディスク装置を示すブロック図である。
［図９］本発明の実施形態５による光ディスク装置を示すブロック図である。
［図１０］従来の光ディスク媒体の記録層の一部を拡大して示す平面図である。
【符号の説明】
【００３０】  １０  トラック
１１、１２  フレームユニット
２１、２２  ランドプレピット
１００  情報記録媒体
１０１  記録層
１１１  第１の蛇行形状
１１２  第２の蛇行形状
【発明を実施するための最良の形態】
【００３１】  以下、図面を参照しながら本発明の実施形態を説明する。【００３２】  （実施形態１）
まず、図１Ａを参照して、本実施形態の情報記録媒体を説明する。図１Ａは、本実施形態の情報記録媒体１００が備える記録層１０１の一部を拡大して示す平面図である。情報記録媒体１００は光ディスク媒体である。【００３３】  記録層１０１は、光ディスク媒体１００の中心の周りに渦巻き状に形成されたトラックグルーブ（以下、「トラック」と略記する）１０を備える。トラック１０は、レーザ光の入射方向から見ると記録層１０１中の凹部（溝）であるが、凸部であってもよい。トラック１０は、光ディスク媒体１００の径方向に所定の単一の基本周期で蛇行（ウォブリング）している。【００３４】  トラック１０の蛇行の一周期に相当する部分の蛇行形状は、鋸歯状蛇行（Ｓａｗ  Ｔｏｏｔｈ  Ｗｏｂｂｌｅ：ＳＴＷ）形状である。トラック１０は、ＳＴＷ形状として、第１の蛇行形状１１１と第２の蛇行形状１１２とを有している。【００３５】  トラック１０上におけるビームスポットの移動方向（トラック１０の中心の接線方向と平行な方向）に沿って、光ディスク媒体１００の内側から外側へ向かう方向へ曲がっている蛇行形状の部分を立ち上がり部分と呼び、光ディスク媒体１００の外側から内側へ向かう方向へ曲がっている蛇行形状の部分を立ち下がり部分と呼ぶ。第１の蛇行形状１１１は、立ち上がり部分１１３よりも立ち下がり部分１１４が急峻な形状であり、第２の蛇行形状１１２は立ち下がり部分１１６よりも立ち上がり部分１１５が急峻な形状である。第１の蛇行形状１１１および第２の蛇行形状１１２のそれぞれは、１ビット情報を表す単位形状である。第１の蛇行形状１１１は第１の情報を表しており、第２の蛇行形状１１２は第２の情報を表している。第１の情報と第２の情報とは互いに異なる。例えば、第１の情報は１ビット情報の“０”であり、第２の情報は１ビット情報の“１”である。第１の情報および第２の情報は、例えば、光ディスク媒体１００に記録された情報のうちの副情報（アドレス情報等）を示している。【００３６】  記録層１０１からの反射光に基づいて得られる第１の蛇行形状１１１に対応した信号の波形は、立ち上がりエッジよりも立ち下がりエッジが急峻となる。また、その反射光に基づいて得られる第２の蛇行形状１１２に対応した信号の波形は、立ち下がりエッジよりも立ち上がりエッジが急峻となる。このような蛇行形状１１１に対応した信号の波形と、蛇行形状１１２に対応した信号の波形との違いから、第１の情報“０”と第２の情報“１”とを識別することができる。【００３７】  光ディスク媒体１００へのデータの記録および光ディスク媒体１００からのデータの再生時には、回転する光ディスク媒体１００の記録層１０１上にレーザ光のビームスポットが形成され、トラック１０の略中心を追従するようにビームスポットの位置が高い精度で制御される。このような制御はトラッキング制御と呼ばれる。【００３８】  光ディスク媒体１００から反射される光を光ディスク装置の光ピックアップが備えるフォトディテクタが検出し、フォトディテクタから出力される信号に基づいてトラッキング制御は行なわれる。トラッキング制御の下では、ビームスポットはトラック１０の略中心を追従している。【００３９】  フォトディテクタから出力される差信号には、トラック１０のＳＴＷ形状を反映した強度変化を示す成分が含まれている。第１の蛇行形状１１１と第２の蛇行形状１１２とでは、トラック１０が光ディスク媒体１００の径方向（トラック１０の中心の接線方向に対して垂直な方向）にウォブリングするときの急峻さが異なっている。このため、ＳＴＷ形状に対応する信号波形の立ち上がりエッジと立ち下がりエッジとの間の急峻さの違いにＳＴＷ形状が反映される。【００４０】  第１の蛇行形状１１１は、光ディスク媒体１００の内側から外側へ向かう方向へ相対的に緩やかに変位した後、光ディスク媒体１００の外側から内側へ向かう方向へ相対的に急峻に変位している。このため、第１の蛇行形状１１１に対応する信号でも、立ち上がりエッジよりも立ち下がりエッジが相対的に急峻になる。【００４１】  一方、第２の蛇行形状１１２は、光ディスク媒体１００の内側から外側へ向かう方向へ相対的に急峻に変位した後、光ディスク媒体１００の外側から内側へ向かう方向へ相対的に緩やかに変位している。このため、第２の蛇行形状１１２に対応する信号でも、立ち下がりエッジよりも立ち上がりエッジが相対的に急峻になる。【００４２】  次に、フレームユニットを説明する。【００４３】  トラック１０は、複数のフレームユニット１１および１２を備える。複数のフレームユニット１１のそれぞれは、複数の第１の蛇行形状１１１を備える。複数のフレームユニット１２のそれぞれは、複数の第２の蛇行形状１１２を備える。第１の蛇行形状１１１および第２の蛇行形状１１２のそれぞれは１ビット情報を表す単位形状であり、フレームユニット１１および１２のそれぞれは、これら単位形状を有する部分を同じ個数備えている。【００４４】  記録層１０１は、トラック１０が形成されていない領域（渦巻き状のトラック１０の隣接する部分間の領域）の特定位置に複数のＬＰＰ（ランドプレピット）２１および２２を備える。ＬＰＰ２１および２２はトラック１０に隣接して形成されている。フレームユニット１１および１２のそれぞれに対して少なくとも１つのＬＰＰ２１または２２が割り当てられている。ＬＰＰ２１はフレームユニット１１の所定の位置に隣接して割り当てられており、ＬＰＰ２２はフレームユニット１２の所定の位置に隣接して割り当てられている。ＬＰＰ２１は、フレームユニット１１の形状（第１の蛇行形状１１１）が表す第１の情報に対応する情報を表している。ＬＰＰ２２は、フレームユニット１２の形状（第２の蛇行形状１１２）が表す第２の情報に対応する情報を表している。例えば、ＬＰＰ２１および第１の蛇行形状１１１は、互いに同じ情報（第１の情報）を表し、ＬＰＰ２２および第２の蛇行形状１１２は、互いに同じ情報（第２の情報）を表している。【００４５】  次に、図１Ｂを参照して、光ディスク媒体１００をより詳細に説明する。図１Ｂは、光ディスク媒体１００の一部を立体的に示す斜視図である。光ディスク媒体１００が備える記録層の数は１層でもよいし、２層以上でも良い。図１Ｂに示す光ディスク媒体１００は、２つの記録層１０１および１０１ａを備える。記録層１０１ａが備える構成要素は、記録層１０１が備える構成要素と同様であるので、ここでは説明を省略する。【００４６】  光ディスク媒体１００は基板１０２を備え、基板１０２の記録面側に記録層１０１が形成されている。記録面とは、光ディスク媒体１００が光ディスク装置に装着されたときに光ピックアップと対向する側の面である。記録層１０１の基板１０２とは反対の側には透明樹脂層１０３が形成されており、透明樹脂層１０３の記録層１０１とは反対の側に記録層１０１ａが形成されている。透明樹脂層１０３により、記録層１０１と記録層１０１ａとの間に所定の間隔（例えば約３０〜６０μｍ）があけられている。記録層１０１ａの透明樹脂層１０３とは反対の側には、保護層１０４が形成されている。保護層１０４は、記録層１０１および１０１ａを汚れやキズが付かないように保護している。【００４７】  各構成要素のサイズとしては、例えば、トラック１０の隣接するグルーブ間の距離は約０．７〜０．８μｍ、トラック１０のグルーブ幅は約０．２〜０．５μｍ、トラック１０の段差（高さまたは深さ）は波長換算でλ／１６〜λ／８（λ：波長）に設定されている。これらのサイズは、ビームスポットの直径が約１μｍである場合に対応している（例えば、波長６５０ｎｍ、ＮＡ＝０．６５のレーザ光を用いるとビームスポットの直径は約１μｍになる）。記録層１０１と記録層１０１ａとの間の距離は、約３０〜６０μｍである。ＬＰＰ２１および２２の形状は、図１Ｂ中では円形で示されており、トラック１０の接線方向に沿ったサイズは約０．５〜１．０μｍである。トラック１０の蛇行の１周期の長さは約１５〜３０μｍである。この場合、蛇行形状に対応した信号の周波数は、ＬＰＰに対応した信号の周波数の１／３０程度となる。なお、これらの各構成要素のサイズは一例であり、使用するレーザ光のビームスポットが小さくなれば、それに比例して、各構成要素のサイズも小さくなり得る。【００４８】  次に、図２Ａ、図２Ｂおよび図２Ｃを参照して、フレームユニットをより詳細に説明する。【００４９】  図２Ａ〜図２Ｃは、３種類のフレームユニット１１、１２および１３を表すテーブルを示す図である。符号“Ｌ”は、第１の蛇行形状１１１を示し、符号“Ｔ”は、第２の蛇行形状１１２を示している。【００５０】  各フレームユニット１１、１２および１３には、第１の蛇行形状１１１または第２の蛇行形状１１２によって表される１ビット情報（“０”または“１”）が割り当てられている。また、フレームユニット１３には、更に、情報“ＳＹＮＣ”が割り当てられている。情報“ＳＹＮＣ”は、後述するワードユニット（図３）の先頭を示す情報である。フレームユニット１１には１ビット情報“０”が割り当てられている。フレームユニット１２には１ビット情報“１”が割り当てられている。フレームユニット１１、１２および１３は、１ビット情報を表す単位形状である第１の蛇行形状１１１を有する部分または第２の蛇行形状１１２を有する部分を互いに同じ個数備えている。図２Ａ〜図２Ｃに示す例では、各フレームユニット１１、１２および１３は、１６個の単位形状を有する部分を備えている。【００５１】  各フレームユニット１１、１２および１３には、ＬＰＰ２１または２２が割り当てられており、ＬＰＰ２１および２２によってフレームユニット１１��１２および１３が識別される。【００５２】  ＬＰＰ２１および２２は、例えば、各フレームユニット１１、１２および１３の先頭側に位置する２つの単位形状のうちの少なくとも一方に隣接して形成されている。図２Ａ〜図２Ｃに示す符号“Ｐ”は、１６個の単位形状のうちのＬＰＰ２１および２２が形成される単位形状を示している。フレームユニット１１の先頭側に位置する２つの単位形状のうちの一番先頭の単位形状にはＬＰＰ２１は割り当てられておらず、先頭から２番目の単位形状にはＬＰＰ２１が割り当てられている。このようなフレームユニット１１へのＬＰＰ２１の割り当てパターンは１ビット情報“０”を表している。フレームユニット１２の先頭側に位置する２つの単位形状のうちの一番先頭の単位形状にはＬＰＰ２２が割り当てられており、先頭から２番目の単位形状にはＬＰＰ２２が割り当てられていない。このようなフレームユニット１２へのＬＰＰ２２の割り当てパターンは１ビット情報“１”を表している。フレームユニット１３の先頭側に位置する２つの単位形状の両方にＬＰＰ２１が割り当てられている。このようなフレームユニット１３へのＬＰＰ２１の割り当てパターンは情報“ＳＹＮＣ”を表している。【００５３】  先頭側に位置する２つの単位形状のうちのＬＰＰ２１および２２が形成されていない単位形状を“−”と表す場合、１ビット情報“０”は“−Ｐ”とバイフェーズ表記で表すことができる。同様に、１ビット情報“１”は“−Ｐ”と表され、情報“ＳＹＮＣ”は“ＰＰ”と表される。【００５４】  フレームユニット１１が有する第１の蛇行形状１１１が表す情報は、フレームユニット１１へのＬＰＰ２１の割り当てパターンが表す情報と同じ内容（１ビット情報“０”）を表している。また、フレームユニット１２が有する第２の蛇行形状１１２が表す情報は、フレームユニット１２へのＬＰＰ２２の割り当てパターンが表す情報と同じ内容（１ビット情報“１”）を表している。【００５５】  ＬＰＰ２１および２２がフレームユニットの先頭側に集中して設けられているのに対し、第１の蛇行形状１１１および第２の蛇行形状１１２のそれぞれは、１６周期の蛇行に渡って連続して形成されている。フレームユニット１１では、第１の蛇行形状１１１（符号“Ｌ”）が１６個連続しており、１６個の第１の蛇行形状１１１のそれぞれが１ビット情報“０”を表している。フレームユニット１２では、第２の蛇行形状１１２（符号“Ｔ”）が１６個連続しており、１６個の第２の蛇行形状１１２のそれぞれが１ビット情報“１”を表している。【００５６】  このような第１および第２の蛇行形状１１１および１１２に対応する信号（二次高調波信号）の値を所定の周期で１６回検出して積算することにより、第１および第２の蛇行形状１１１および１１２が表す情報を検出することができる。二次高調波信号の値を１６回積算することにより、積算しない場合と比較して高域のノイズレベルを約１／４に低下（約−１２ｄＢ）させることができ、その分、ＳＮが悪い条件下でも正確に情報を検出できる割合を高めることが出来る。また、一方、ＬＰＰ２１および２２はフレームユニットの先頭部に集中的に配置されているので、ＬＰＰ２１および２２に対応する信号���ＬＰＰ信号）は高い周波数を有している。このため、ＬＰＰ信号は低域ノイズ成分の影響を受けにくい。従って、発生するノイズの種類に応じて二次高調波信号とＬＰＰ信号とを使い分けることにより、アドレス等の情報をより正確に再生することができる。このような、二次高調波信号およびＬＰＰ信号に含まれる情報の検出動作については、実施形態２以降でより詳細に説明する。【００５７】  上述のように、二次高調波信号の値を１６回積算することにより、第１および第２の情報の検出時のＳＮを１２ｄＢ改善させることができる。言い換えれば、二次高調波信号は、その振幅がキャリア振幅の１／４（−１２ｄＢ）でも検出可能ということになり、その条件に合わせて、蛇行形状の立ち上がり部分および立ち下がり部分の傾斜のレベルを決定することが可能である。トラック１０の蛇行の周波数を示す信号の波形が−１２ｄＢ程度歪んでも、トラック１０の蛇行の周波数の検出に大きな影響は与えない。このことは、互いに異なるフォーマットの光ディスク媒体同士の互換性を確保するという点において非常に有利である。ＳＴＷ形状を検出する機能を備えておらず、ＬＰＰのみからアドレス情報を検出する光ディスク装置は、蛇行の周波数を示す信号の波形の多少の歪みは無視して蛇行の周波数を検出する。このため、そのような光ディスク装置に光ディスク媒体１００が装着された場合でも、光ディスク装置は、蛇行の周波数を示す信号の波形の多少の歪み（ＳＴＷ形状に起因する歪み）は無視して蛇行の周波数を検出するので、光ディスク媒体１００以外の光ディスク媒体と同様に記録再生動作を実行することができる。【００５８】  ＬＰＰおよびＳＴＷ形状の両方からアドレス情報を検出する光ディスク装置（実施形態２以降で説明する）では、仮にＬＰＰ（またはＳＴＷ形状）からのアドレス情報の検出に失敗しても、ＳＴＷ形状（またはＬＰＰ）からアドレス情報を検出すればよいので、アドレス情報の検出の信頼性を高めることができる。【００５９】  なお、情報“ＳＹＮＣ”が割り当てられたフレームユニット１３の蛇行形状は、“ＰＰ”に相当する形状を有していない。本実施形態では、フレームユニット１３は、レファレンスとして１ビット情報“０”を示す第１の蛇行形状１１１を備えている。【００６０】  次に、図３を参照して、ワードユニットを説明する。トラック１０が備える複数のフレームユニット１１、１２および１３は、２つ以上のフレームユニットを備える複数のワードユニット１４にグループ分けされている。図３は、ワードユニット１４を表すテーブルを示す図である。ワードユニット１４は、１２個のフレームユニット１１、１２および１３を備える。すなわち、１つのワードユニット１４は、１２ビットの情報を有している。ワードユニット１４の先頭には、フレームユニット１３が位置している。フレームユニット１３に割り当てられたＬＰＰ２１は、ワードユニット１４の先頭を示す情報“ＳＹＮＣ”を表している。【００６１】  次に、図４を参照して、ブロックユニットを説明する。複数のワードユニット１４は、２つ以上のワードユニット１４を備える複数のブロックユニット１５にグループ分けされている。図４は、ブロックユニット１５を表すテーブルを示す図である。ブロックユニット１５は、８個のワードユニット１４を備える。“ＳＹＮＣ”を表すワードユニット１４以外の１１個のワードユニット１４が表す１１ビットの情報は、３ビットのワードアドレスデータと８ビットのバイトデータとに分けられている。８個のワードユニット１４の各ビットデータは、ブロックユニット１５のアドレス情報および管理情報、並びにそれらに対するパリティ情報を示している。【００６２】  なお、トラック１０のブロックユニット１５の先頭に対応する位置には、複数のブロックユニット１５のそれぞれの先頭を識別するための識別情報が記録されている。【００６３】  上記のようなブロックユニット１５は、トラック１０に記録されるユーザデータの１ＥＣＣ（Ｅｒｒｏｒ  Ｃｏｒｒｅｃｔｉｏｎ  Ｃｏｄｅ）ブロック単位に相当する。【００６４】  （実施形態２）
図５および図６を参照しながら、本発明による光ディスク装置の実施形態を説明する。図５は、本実施形態の光ディスク装置２００を示すブロック図であり、図６は、光ディスク装置２００の動作を示すタイミングチャートである。光ディスク装置２００は、光ディスク媒体１００へのデータの記録および光ディスク媒体１００からのデータの再生のうちの少なくとも一方を実行する装置である。【００６５】  光ディスク装置２００は、公知の光ディスク装置が備えている光ピックアップ（不図示）を備えている。この光ピックアップ内の半導体レーザから放射されたレーザ光が対物レンズによって光ディスク媒体１００（図１Ａ）の記録層１０１上に集光され、その記録層１０１上にビームスポットを形成する。光ディスク装置２００によるトラッキング制御およびフォーカシング制御により、ビームスポットはトラック１０を追従する。【００６６】  記録層１０１にレーザ光を照射したときに記録層１０１で反射された光は、光ピックアップ内のフォトディテクタで検出される。フォトディテクタは、複数の受光領域に分割されている。受光領域は、トラック１０の接線方向に沿って互いに分割されており、受光領域から信号ＷＢＬＰおよびＷＢＬＮが出力される。光ディスク装置２００が備える差動アンプ３０は、信号ＷＢＬＰおよびＷＢＬＮに基づいて差動信号（ウォブル信号）ＷＢＬを生成する。このウォブル信号ＷＢＬは、トラック１０の蛇行の基本周波数を示す基本波信号と、記録層１０１上のＳＴＷ形状が表す情報を示す二次高調波信号と、ＬＰＰが表す情報を示すＬＰＰ信号とを含んでいる。周波数軸で見ると、二次高調波信号は相対的に低周波の領域に分散したスペクトルを有しており、ＬＰＰ信号は相対的に高周波の領域に集中したスペクトルを有している。例えば、ＤＶＤ規格における標準速に対応する速度で光ディスク媒体１００を駆動しているとき、二次高調波信号の周波数は約２００ｋＨｚ〜２ＭＨｚ、ＬＰＰ信号の周波数は約８ＭＨｚ〜１６ＭＨｚである。【００６７】  光ディスク装置２００は、ウォブル信号ＷＢＬに含まれるＳＴＷ形状が表す情報を示す二次高調波信号ＨＭ２を出力する第１の信号出力部４１と、ウォブル信号ＷＢＬに含まれるトラック１０の蛇行の基本周波数を示す基本波信号４２ａを出力する第２の信号出力部４２と、ウォブル信号ＷＢＬに含まれるＬＰＰが表す情報を示すＬＰＰ信号４３ａを出力する第３の信号出力部４３とを備える。【００６８】  第１の信号出力部４１は、ウォブル信号ＷＢＬを受け取り、ウォブル信号ＷＢＬに含まれる二次高調波信号ＨＭ２を少なくとも通過させるバンドパスフィルタ（ＢＰＦ）である。第２の信号出力部４２は、ウォブル信号ＷＢＬを受け取り、基本波信号４２ａを少なくとも通過させるＢＰＦである。第３の信号出力部４３は、ウォブル信号ＷＢＬを受け取り、ＬＰＰ信号４３ａを少なくとも通過させるＢＰＦである。ＢＰＦを用いることにより、相対的に低周波の領域にスペクトルを有する二次高調波信号ＨＭ２と、相対的に高周波の領域にスペクトルを有するＬＰＰ信号４３ａとを分離することができる。【００６９】  ＢＰＦ４１〜４３により、ウォブル信号ＷＢＬから、二次高調波信号ＨＭ２、基本波信号４２ａ��およびＬＰＰ信号４３ａがそれぞれ抽出される。【００７０】  なお、ＢＰＦ４１〜４３は、結果的にＢＰＦとして機能する回路を利用できれば、特別のフィルタ回路を設けて実現する必要はない。例えば、ＬＰＰ信号４３ａの周波数は相対的に高いため、意図的にローパスフィルタを設けなくとも、回路の周波数特性によっては高域の通過が自然と制限される。また、ＬＰＰ信号４３ａの周波数は相対的に高いことにより、ＢＰＦ４３は、低域の波形変動分を除去するための単なるハイパスフィルタを実際に回路に付加するだけでも実現できる。【００７１】  また、後述の乗算器７１および積算器７２で構成されるいわゆるヘテロダイン検出回路が事実上のバンドパスフィルタを構成している。このため、ＢＰＦ４１が行う信号処理は、ヘテロダイン検出回路の信号処理前の前処理的なものと考えてよい。また、乗算器７１および積算器７２がＢＰＦ４１の機能を有していてもよい。【００７２】  光ディスク装置２００は、ＬＰＰ信号４３ａを二値化すると共にワードユニットの先頭を示す情報“ＳＹＮＣ”を検出する検出部３３と、アドレス信号を生成するアドレスデコーダ５６とをさらに備える。検出部３３は、ＢＰＦ４３で抽出されたＬＰＰ信号４３ａを二値化するコンパレータ５３と、情報“ＳＹＮＣ”を検出するＳＹＮＣ検出回路５４とを備える。コンパレータ５３は、閾値５３ｂ（図６）を用いてＬＰＰ信号４３ａを二値化して二値化信号５３ａを生成する。コンパレータ５３は、二値化信号５３ａをアドレスデコーダ５６およびＳＹＮＣ検出回路５４へ出力する。ＳＹＮＣ検出回路５４は、二値化信号５３ａから情報“ＳＹＮＣ”を検出して、情報“ＳＹＮＣ”を示す信号５４ａをアドレスデコーダ５６へ出力する。【００７３】  光ディスク装置２００は、同期信号ＣＬＫを生成する同期信号生成部３２をさらに備える。同期信号生成部３２は、基本波信号４２ａを二値化するコンパレータ５１と、同期信号ＣＬＫを生成するＰＬＬ（Ｐｈａｓｅ−Ｌｏｃｋｅｄ  Ｌｏｏｐ）６１と、順次分周器（カウンタ）６２および６３とを備える。コンパレータ５１は、基本波信号４２ａを二値化して生成した二値化信号５１ａをＰＬＬ６１へ出力する。ＰＬＬ６１は、二値化信号５１ａから同期信号ＣＬＫを生成する。同期信号ＣＬＫは、順次分周器６２および６３によってＮ／２分周および２分周され、順次分周器６３から出力された同期二値化信号ＰＷＢＬがＰＬＬ６１の位相比較器（図示せず）にフィードバックされる。アドレスデコーダ５６は同期信号ＣＬＫと同期して動作する。【００７４】  ウォブル信号ＷＢＬからは、ＢＰＦ４１によって二次高調波信号ＨＭ２が抽出される。第１の蛇行形状１１１と第２の蛇行形状１１２との違いは、二次高調波信号ＨＭ２の極性の反転として現れる。例えば、第１の蛇行形状１１１に対応した二次高調波信号ＨＭ２は図６に示す実線の波形となり、第２の蛇行形状１１２に対応した二次高調波信号ＨＭ２は図６に示す点線の波形（第１の蛇行形状１１１に対応した二次高調波信号ＨＭ２の極性が反転した波形）となる。【００７５】  光ディスク装置２００は、所定の回数をカウントするカウンタ部６４と、二次高調波信号ＨＭ２の値を所定の周期で検出して積算する積算部３１と、その積算した結果に基づいて第１および第２の蛇行形状１１１および１１２が示す情報を検出する検出部３４とをさらに備える。積算部３１は、位相補正器７０と、乗算器７１と、積算器７２とを備える。位相補正器７０は、二次高調波信号ＨＭ２の位相を補正する。乗算器７１は、分周器６２から出力された同期逓倍信号ＳＳ２と、二次高調波信号ＨＭ２とを乗算する。積算器７２は、１フレームユニットに相当する期間、乗算器７１から出力された信号７１ａの値を積算し、その積算値を示す信号７２ａを検出部３４へ出力する。【００７６】  検出部３４は、コンパレータ７３と、アドレスデコーダ７４とを備える。コンパレータ７３は、予め設定されたしきい値を用いて信号７２ａが示す積算値を二値化することにより、第１の蛇行形状１１１が表す情報（例えば“０”）および第２の蛇行形状１１２が表す情報（例えば“１”）を検出することができる。アドレスデコーダ７４は、コンパレータ７３の二値化結果からアドレス信号を生成する。【００７７】  フレームユニット１１〜１３（図２Ａ〜図２Ｃ）は、蛇行の単位形状を有する部分を１６個備えている。カウンタ６４は、同期二値化信号ＰＷＢＬのパルスを１６回カウントする毎にフレームパルス信号ＦＲを出力する。フレームパルス信号ＦＲのパルス間隔は、フレームユニット長に相当している。【００７８】  このパルス信号ＦＲをフレームユニットの先頭に相当するタイミングで発生させるためには、適切なタイミングでカウンタ６４の値を初期値にセットする必要がある。カウンタ６４は、ＳＹＮＣ検出回路５４から出力される情報“ＳＹＮＣ”を示す信号５４ａを用いて、初期値をセットする。図２Ａを参照して説明したように、情報“ＳＹＮＣ”を表すＬＰＰは集中配置されているため、フレームユニットの先頭に相当するタイミングを正確に得ることができる。【００７９】  図６では、簡単化のため、１つのフレームユニットが備える蛇行の単位形状を有する部分は６個に設定している。カウンタ６４は、信号５４ａを検出し、信号５４ａの出力タイミングに合わせて、カウント数を初期値「２」に設定する。カウンタ６４は、同期二値化信号ＰＷＢＬのパルスの発生毎に「２」から順次、３→４→５→０→１→・・・と巡回計数動作を実行する。カウンタ６４は、いわゆるフレーム周期で自己リセットがかかるリングカウンタである。したがって、ＬＰＰ信号４３ａの再生品位が悪く、低い確率でしか情報“ＳＹＮＣ”が検出できなくとも、カウンタ６４は、初期値が１回セットされれば、トラッキング制御が続く限り、巡回カウントを継続する。【００８０】  次に、ＳＴＷ形状が表す情報の検出動作をより詳細に説明する。【００８１】  分周器６２からは、ウォブル信号ＷＢＬの２倍の周波数の同期逓倍信号ＳＳ２が出力される。位相補正器７０で位相が補正された二次高調波信号ＨＭ２と、同期逓倍信号ＳＳ２とを乗算器７１で乗算すれば、二次高調波信号ＨＭ２の位相極性（ＳＴＷ形状の種類）に応じて、乗算結果は正（実線）または負（点線）の値をとる。【００８２】  積算器７２が、この乗算結果を示す信号７１ａを、１フレームユニットに相当する期間積算すれば、ノイズ成分は除去される。コンパレータ７３は、���０”および“１”の判定レベル（しきい値）を有し、積算値を二値化することにより、第１の蛇行形状１１１が表す情報（例えば“０”）および第２の蛇行形状１１２が表す情報（例えば“１”）を検出することができる。アドレスデコーダ７４は、同期二値化信号ＰＷＢＬと同期して動作する。なお、積算器７２は、フレームパルス信号ＦＲが出力される毎に積算値をリセットする。【００８３】  （実施形態３）
図７は、本発明の光ディスク装置の他の実施形態を示すブロック図である。【００８４】  図７に示す光ディスク装置３００は、図５に示す光ディスク装置２００の構成要素に加え、信号ＷＢＬＰおよびＷＢＬＮを加算して再生信号を生成する加算器８０と、再生信号から識別情報を検出する検出部３５と、ユーザデータを出力するデータデコーダ８５と、セレクタ８６とをさらに備える。検出部３５は、ＥＱ回路８１と、コンパレータ８２と、ＰＬＬ８３と、ヘッダー検出回路８４とを備える。【００８５】  加算器８０から出力された再生信号８０ａは、コンパレータ８２によって二値化されると共に、ＰＬＬ８３によって位相同期がなされる。その後、再生信号８０ａは、クロック信号ＤＣＫと同期データＳＤＡＴとに分離され、データデコーダ８５およびヘッダー検出回路８４へ出力される。【００８６】  ヘッダー検出回路８４は、ブロックユニット１５の先頭を識別するための識別情報を同期データＳＤＡＴから検出し、識別情報を示すヘッダー信号ＨＤＲを検出する。【００８７】  本実施形態では、このヘッダー信号ＨＤＲを用いてカウンタ６４の初期値を設定することができる。セレクタ８６は、ヘッダー信号ＨＤＲと、ＳＹＮＣ検出回路５４から出力される信号５４ａとのうちの一方を選択してカウンタ６４へ出力する。カウンタ６４は、セレクタ８６から出力されたヘッダー信号ＨＤＲおよび信号５４ａの一方を受け取ると、カウント数を初期値に設定する。【００８８】  ＬＰＰ上にデータが誤って上書きされ、情報“ＳＹＮＣ”の検出頻度が極端に低くなった場合には、信号５４ａの代わりにヘッダー信号ＨＤＲを用いて、カウンタ６４の初期値を設定することができる。セレクタ８６は、例えば、レーザ光が走査しているトラックの領域が記録済み領域か未記録領域かを示す信号８６ａを受け取り、レーザ光が記録済み領域を走査しているときはヘッダー信号ＨＤＲをカウンタ６４へ出力し、レーザ光が未記録領域を走査しているときは信号５４ａをカウンタ６４へ出力する。【００８９】  （実施形態４）
図８は、本発明の光ディスク装置の他の実施形態を示すブロック図である。【００９０】  図８に示す光ディスク装置４００は、図５に示す光ディスク装置２００の構成要素に加え、セレクタ７５をさらに備える。【００９１】  アドレスデコーダ５６はアドレス信号５６ａをセレクタ７５へ出力し、アドレスデコーダ７４はアドレス信号７４ａをセレクタ７５へ出力する。セレクタ７５は、光ディスク媒体１００の駆動速度を示す速度モード切り替え信号７５ａを受け取り、光ディスク媒体１００の駆動速度に応じてアドレス信号５６ａおよびアドレス信号７４ａの一方を選択する。【００９２】  光ディスク媒体１００が高速モードで駆動され、レーザ光がトラック１０を線速度Ｖ１で走査しているときは、セレクタ７５は、アドレス信号７４ａを選択して出力する（すなわち、ＳＴＷ形状が表す情報およびＬＰＰが表す情報のうちのＳＴＷ形状が表す情報を選択する）。一方、光ディスク媒体１００が標準速あるいは低速モードで駆動され、レーザ光がトラック１０を線速度Ｖ２（Ｖ１＞Ｖ２）で走査しているときは、セレクタ７５は、アドレス信号５６ａを選択して出力する（すなわち、ＳＴＷ形状が表す情報およびＬＰＰが表す情報のうちのＬＰＰが表す情報を選択する）。【００９３】  二次高調波信号ＨＭ２の帯域は相対的に低域であり、ＬＰＰ信号４３ａの帯域は相対的に高域である。このため、光ディスク媒体１００が高倍速で駆動されているときは、ＬＰＰ信号４３ａから生成されたアドレス信号５６ａよりも、二次高調波信号ＨＭ２から生成されたアドレス信号７４ａの方が信頼性は高くなる。従って、この場合は、セレクタ７５は、アドレス信号７４ａを選択する。一方、光ディスク媒体１００が標準速あるいは低速モードで駆動されているときは、ＬＰＰ信号４３ａから生成されたアドレス信号５６ａの信頼性も高い。従って、この場合は、ＬＰＰを有するがＳＴＷ形状を有しない他の光ディスク媒体との互換性を考慮して、アドレス信号５６ａを選択する。【００９４】  このように、光ディスク媒体１００の駆動速度に応じてアドレス信号５６ａおよびアドレス信号７４ａを使い分けることにより、よりエラーの少ない信頼性の高い光ディスク装置を実現することができる。【００９５】  なお、セレクタ７５は、光ディスク装置４００が再生動作を実行しているか記録動作を実行しているかに応じて、アドレス信号５６ａおよびアドレス信号７４ａの一方を選択してもよい。この場合、セレクタ７５は、光ディスク装置４００の動作状況を示す記録再生切り替え信号７５ｂを受け取る。光ディスク装置４００が再生動作を実行しているときには、セレクタ７５は、アドレス信号５６ａを選択して出力する（すなわち、ＳＴＷ形状が表す情報およびＬＰＰが表す情報のうちのＬＰＰが表す情報を選択する）。光ディスク装置４００が記録動作を実行しているときには、セレクタ７５は、アドレス信号７４ａを選択して出力する（すなわち、ＳＴＷ形状が表す情報およびＬＰＰが表す情報のうちのＳＴＷ形状が表す情報を選択する）。【００９６】  記録動作中は、レーザ光はマルチパルス波形を有するので、信号ＷＢＬＰおよびＷＢＬＮには高域の強いノイズが重畳される。従って、この場合は、高域ノイ���の影響を受けにくい二次高調波信号ＨＭ２から生成されたアドレス信号７４ａの信頼性がアドレス信号５６ａよりも高くなると想定されるので、セレクタ７５は、アドレス信号７４ａを選択して出力する。【００９７】  再生動作中は、ユーザデータを示す信号がウォブル信号ＷＢＬに低域ノイズとして重畳される。従って、この場合は、低域ノイズの影響を受けにくいＬＰＰ信号４３ａから生成されたアドレス信号５６ａの信頼性がアドレス信号７４ａよりも高くなると想定されるので、セレクタ７５は、アドレス信号５６ａを選択して出力する。【００９８】  このように、光ディスク装置４００が再生動作を実行しているか記録動作を実行しているかに応じて、アドレス信号５６ａおよびアドレス信号７４ａを使い分けることにより、よりエラーの少ない信頼性の高い光ディスク装置を実現することができる。【００９９】  （実施形態５）
図９は、本発明の光ディスク装置の他の実施形態を示すブロック図である。【０１００】  図９に示す光ディスク装置５００は、図５に示す光ディスク装置２００の構成要素に加え、セレクタ部７６をさらに備える。セレクタ部７６は、セレクタ７７と、比較器７８とを備える。【０１０１】  アドレスデコーダ５６はアドレス信号５６ａをセレクタ７７へ出力し、アドレスデコーダ７４はアドレス信号７４ａをセレクタ７７へ出力する。【０１０２】  アドレスデコーダ５６は、コンパレータ５３から出力された二値化信号からアドレス情報を復号するとき、パリティ情報を検出し、受け取ったデータが誤っているか否かを判定する。アドレスデコーダ５６は、受け取ったデータが誤っていると判定した場合は、誤り検出信号ＰＴ１を比較器７８へ出力する。同様に、アドレスデコーダ７４は、コンパレータ７３から出力された二値化信号からアドレス情報を復号するとき、パリティ情報を検出し、受け取ったデータが誤っているか否かを判定する。アドレスデコーダ７４は、受け取ったデータが誤っていると判定した場合は、誤り検出信号ＰＴ２を比較器７８へ出力する。【０１０３】  比較器７８は、誤り検出信号ＰＴ１およびＰＴ２を受け取り、二次高調波信号ＨＭ２からアドレス情報を検出するときの誤り率Ｅ１と、ＬＰＰ信号４３ａからアドレス情報を検出するときの誤り率Ｅ２とを比較する。誤り率Ｅ１が誤り率Ｅ２よりも低い場合は、比較器７８は、アドレス信号７４ａを選択するようにセレクタ７７を制御する。反対に、誤り率Ｅ１が誤り率Ｅ２よりも高い場合は、比較器７８は、アドレス信号５６ａを選択するようにセレクタ７７を制御する。セレクタ７７は、比較器７８の制御に応じて、アドレス信号５６ａおよびアドレス信号７４ａの一方を選択して出力する。なお、誤り率Ｅ１と誤り率Ｅ２とが等しいときは、アドレス信号５６ａおよびアドレス信号７４ａのどちらを選択してもよい。【０１０４】  図１Ａおよび図２Ａ〜図２Ｃを参照して説明したように、ＬＰＰは１フレームユニットの先頭部に集中的に形成されており、ＳＴＷ形状は１フレームユニット全体に渡って繰り返し形成されている。このため、ＬＰＰの真上にゴミ等が付着した場合、そのＬＰＰからは情報を読み取れない可能性が高い。一方、指紋のような広域に分散する汚れが光ディスク媒体１００に付着した場合は、ＳＴＷ形状からは情報を読み取れないがＬＰＰからは情報を読みとれる場合がある。このように、ゴミ、汚れおよびキズ等によって、誤り率Ｅ１および誤り率Ｅ２は変化する。アドレス信号を生成するときの誤り率に応じてアドレス信号５６ａおよびアドレス信号７４ａを使い分けることにより、よりエラーの少ない信頼性の高い光ディスク装置を実現することができる。
【産業上の利用可能性】
【０１０５】  本発明の光ディスク媒体は、優れたＳＮ特性を発揮することができ、高倍速記録再生に対応した追記型または書き換え型の光ディスク媒体、および複数の記録層を備えた光ディスク媒体（ハイビジョン映像録画用の大容量光ディスク媒体等）の分野で特に好適に用いられる。
2005104106.tif 000002
2005104106.tif 000003
2005104106.tif 000004
2005104106.tif 000005
【図３】
2005104106.tif 000006
【図４】
2005104106.tif 000007
【図５】
2005104106.tif 000008
【図６】
2005104106.tif 000009
【図７】
2005104106.tif 000010
【図８】
2005104106.tif 000011
【図９】
2005104106.tif 000012
【図１０】
2005104106.tif 000013
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
所定の周期で蛇行するトラックと、
前記トラックに隣接する複数のプレピットと
を備えた情報記録媒体であって、
前記トラックは、複数のフレームユニットを備え、前記複数のフレームユニットのそれぞれに対して前記複数のプレピットのうちの少なくとも１つが割り当てられており、
前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、
前記第１の蛇行形状は第１の情報を表しており、前記第２の蛇行形状は第２の情報を表しており、
前記第１の情報と前記第２の情報とは互いに異なる、情報記録媒体。
【請求項２】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットは、前記所定のフレームユニットの形状が表す前記第１の情報または前記第２の情報に対応する第３の情報を表している、請求項１に記載の情報記録媒体。
【請求項３】
前記第３の情報は、前記所定のフレームユニットの形状が表す前記第１の情報または前記第２の情報と同じ内容を示している、請求項２に記載の情報記録媒体。
【請求項４】
前記複数のフレームユニットのそれぞれに割り当てられた前記少なくとも１つのプレピットは、対応するフレームユニットの所定の位置に隣接している、請求項１に記載の情報記録媒体。
【請求項５】
前記第１の蛇行形状および前記第２の蛇行形状のそれぞれは、１ビット情報を表す単位形状であり、
前記複数のフレームユニットは、前記単位形状の部分を互いに同じ個数有している、請求項１に記載の情報記録媒体。
【請求項６】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットは、前記ワードユニットの先頭を示す情報を表している、請求項１に記載の情報記録媒体。
【請求項７】
請求項１に記載の情報記録媒体へのデータの記録および前記情報記録媒体からのデータの再生のうちの少なくとも一方を実行する装置であって、
前記情報記録媒体にレーザ光を照射したときの前記情報記録媒体からの反射光に基づいて得られる信号に含まれる前記第１の情報および前記第２の情報を示す第１の信号を出力する第１の信号出力部と、
前記反射光に基づいて得られる前記信号に含まれる前記トラックの蛇行の周波数を示す第２の信号を出力する第２の信号出力部と、
前記反射光に基づいて得られる前記信号に含まれる前記プレピットが表す第３の情報を示す第３の信号を出力する第３の信号出力部と
を備えた、装置。
【請求項８】
前記第１の信号の値を所定の周期で検出して積算する積算部と、
前記積算した結果に基づいて前記第１の情報および前記第２の情報を検出する第１の検出部と
をさらに備える、請求項７に記載の装置。
【請求項９】
前記第１の蛇行形状および前記第２の蛇行形状のそれぞれは、１ビット情報を表す単位形状であり、
前記複数のフレームユニットは、前記単位形状の部分を互いに同じ個数有しており、
前記装置は、所定の回数をカウントするカウンタ部をさらに備え、
前記所定の回数は、１つの前記フレームユニットが有する前記単位形状の部分の個数に対応した回数であり、
前記積算部は、前記カウンタ部が前記所定の回数をカウントする毎に前記積算した結果をリセットする、請求項８に記載の装置。
【請求項１０】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットが表す前記第３の情報は、前記ワードユニットの先頭を示しており、
前記装置は、前記第３の信号から前記ワードユニットの先頭を示す前記第３の情報を検出する第２の検出部をさらに備え、
前記カウンタ部は、前記第２の検出部が前記ワードユニットの先頭を示す前記第３の情報を検出すると、カウント数を初期値に設定する、請求項９に記載の装置。
【請求項１１】
前記複数のフレームユニットは、２つ以上の前記フレームユニットを備える複数のワードユニットに分けられており、
前記複数のワードユニットは、２つ以上の前記ワードユニットを備える複数のブロックユニットに分けられており、
前記トラックのうちの前記複数のブロックユニットのそれぞれの先頭に対応する位置には、前記複数のブロックユニットのそれぞれの先頭を識別するための識別情報が記録されており、
前記装置は、
前記情報記録媒体からの前記反射光に基づいて得られる再生信号から前記識別情報を検出する第３の検出部をさらに備え、
前記カウンタ部は、前記第３の検出部が前記識別情報を検出すると、カウント数を初期値に設定する、請求項９に記載の装置。
【請求項１２】
前記複数のフレームユニットは、２つ以上の前記フレームユニットを備える複数のワードユニットに分けられており、
前記複数のワードユニットのそれぞれの先頭に位置する前記フレームユニットに割り当てられた前記少なくとも１つのプレピットが表す前記第３の情報は、前記ワードユニットの先頭を示しており、
前記複数のワードユニットは、２つ以上の前記ワードユニットを備える複数のブロックユニットに分けられており、
前記トラックのうちの前記複数のブロックユニットのそれぞれの先頭に対応する位置には、前記複数のブロックユニットのそれぞれの先頭を識別するための識別情報が記録されており、
前記装置は、
前記第３の信号から前記ワードユニットの先頭を示す前記第３の情報を検出する第２の検出部と、
前記情報記録媒体からの前記反射光に基づいて得られる再生信号から前記識別情報を検出する第３の検出部と
をさらに備え、
前記カウンタ部は、前記第２の検出部による前記ワードユニットの先頭を示す前記第３の情報の検出と、前記第３の検出部による前記識別情報の検出とのうちの一方に応じて、カウント数を初期値に設定する、請求項９に記載の装置。
【請求項１３】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、
前記装置は、
前記レーザ光が前記トラックを第１の速度で走査するときは、前記第１の情報、前記第２の情報および前記第３の情報のうちの前記第１の情報および前記第２の情報を選択し、前記レーザ光が前記トラックを第２の速度で走査するときは、前記第１の情報、前記第２の情報および前記第３の情報のうちの前記第３の情報を選択するセレクタ部をさらに備え、
前記第１の速度は前記第２の速度よりも速い、請求項７に記載の装置。
【請求項１４】
前記複数のフレームユニットのそれぞれは、前記第１の蛇行形状および前記第２の蛇行形状の一方を有しており、
前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、
前記装置は、
記録動作時は、前記第１の情報、前記第２の情報および前記第３の情報のうちの前記第１の情報および前記第２の情報を選択し、再生動作時は、前記第１の情報、前記第２の情報および前記第３の情報のうちの前記第３の情報を選択するセレクタ部をさらに備える、請求項７に記載の装置。
【請求項１５】
前記第１の信号から前記第１の情報および前記第２の情報を検出するときの第１の誤り率と、前記第３の信号から前記第３の情報を検出するときの第２の誤り率とを比較し、前記第１の誤り率が前記第２の誤り率よりも低い場合は、前記第１の情報、前記第２の情報および前記第３の情報のうちの前記第１の情報および前記第２の情報を選択し、前記第１の誤り率が前記第２の誤り率よりも高い場合は、前記第１の情報、前記第２の情報および前記第３の情報のうちの前記第３の情報を選択するセレクタ部をさらに備える、請求項７に記載の装置。
【請求項１６】
請求項１に記載の情報記録媒体へのデータの記録および前記情報記録媒体からのデータの再生のうちの少なくとも一方を実行する方法であって、
前記情報記録媒体にレーザ光を照射したときの前記情報記録媒体からの反射光に基づいて得られる信号に含まれる前記第１の情報および前記第２の情報を示す第１の信号を出力する第１のステップと、
前記反射光に基づいて得られる前記信号に含まれる前記トラックの蛇行の周波数を示す第２の信号を出力する第２のステップと、
前記反射光に基づいて得られる前記信号に含まれる前記プレピットが表す第３の情報を示す第３の信号を出力する第３のステップと
を包含する、方法。
【請求項１７】
複数の記録層を備えた情報記録媒体であって、
前記複数の記録層のそれぞれは、
所定の周期で蛇行するトラックと、
前記トラックに隣接する複数のプレピットと
を備え、
前記トラックは、複数のフレームユニットを備え、前記複数のフレームユニットのそれぞれに対して前記複数のプレピットのうちの少なくとも１つが割り当てられており、
前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、
前記第１の蛇行形状は第１の情報を表しており、前記第２の蛇行形状は第２の情報を表しており、
前記第１の情報と前記第２の情報とは互いに異なる、情報記録媒体。
【手続補正２】
【補正対象書類名】明細書
【補正対象項目名】全文
【補正方法】変更
【補正の内容】
【発明の詳細な説明】
【技術分野】
【０００１】
本発明は、情報記録媒体、およびその情報記録媒体を用いてデータの記録および／または再生を実行する装置に関する。本発明の情報記録媒体は、例えば、データの追記可能又は書き換え可能な光ディスク媒体であり、そのトラックは蛇行形状を有している。
【背景技術】
【０００２】
現在普及している追記可能な光ディスク媒体または書き換え可能な光ディスク媒体の中には、ランドプレピット（Ｌａｎｄ  Ｐｒｅ−Ｐｉｔｓ（以下、「ＬＰＰ」と呼ぶ））を用いてアドレスを表す方式が採用された光ディスク媒体がある（例えば、ＤＶＤ−Ｒディスク媒体）。このような光ディスク媒体は、例えば特許文献１に開示されている。
【０００３】
図１０は、ＬＰＰを備えた光ディスク媒体１０００の記録層の一部を拡大して示す平面図である。
【０００４】
光ディスク媒体１０００の記録層に形成されたトラックグルーブ（トラック溝）１１００は、一定周期でサイン波状に蛇行（ウォブリング）している。トラックグルーブ１１００が形成されていない領域の特定位置には、ＬＰＰ１２００が形成されている。このＬＰＰ１２００の有無などにより、１ビット情報を光ディスク媒体１０００の記録層に記録しておくことができる。
【０００５】
例えば、ＬＰＰ１２００がアドレス情報を表すことにより、トラックグルーブ１１００上のユーザデータを記録するための領域にオーバーヘッドが生じず、ユーザデータを記録するための記録容量を大きく確保できる。
【０００６】
ユーザデータはトラックグルーブ１１００に沿って記録されるが、ＬＰＰ１２００はトラックグルーブ１１００から外れた領域に形成されている。このため、ＬＰＰ１２００上にユーザデータが記録されることはほとんど無く、ユーザデータとＬＰＰ１２００が表す情報とを分離して再生することは比較的容易である。
【０００７】
データの再生は、通常、トラック接線方向に沿って分割された受光素子を用いて行なう。分割された受光素子の各領域からの出力信号に基づいて加算信号および差信号が生成される。加算信号からデータを示すＲＦ信号が生成され、差信号から、トラックグルーブ１１００の蛇行状態およびＬＰＰ１２００の状態を示す信号が生成される。通常、ＬＰＰ１２００に対応する信号（ＬＰＰ信号）の振幅は、トラックグルーブ１１００の蛇行に対応する信号（ウォブル信号）の振幅よりも大きいので、それらの信号の間の振幅差を利用してＬＰＰ信号とウォブル信号とを分離することが可能である。例えば、ウォブル信号の振幅よりも大きく、ＬＰＰ信号の振幅よりも小さいしきい値（またはウィンドウ）を用いて差信号を二値化することにより、差信号からＬＰＰ信号をパルス信号として得ることができる。
【特許文献１】特開平９−３２６１３８号公報
【発明の開示】
【発明が解決しようとする課題】
【０００８】
しかしながら、ＬＰＰ信号の周波数はウォブル信号の周波数に比べて格段に高いため、ＳＮ（Ｓｉｇｎａｌ  ｔｏ  Ｎｏｉｓｅ  ｒａｔｉｏ）の悪い条件下では、ＬＬＰ１２００が表す情報を正しく再生できない場合がある。ＳＮの悪い条件とは、例えば高倍速で記録および再生を実行している場合や、光ディスク媒体が２層以上の記録層を有している場合などである。高倍速とは、その光ディスク媒体の規格における標準速よりも速い線速度を指し、例えば、ＤＶＤ規格における標準速（２７Ｍｂｐｓ）の８倍速（２１６Ｍｂｐｓ）程度以上を指す。高倍速での記録再生時にはＬＰＰ信号自体の振幅が低下し、さらに記録時にはレーザ変調信号がノイズとしてＬＰＰ信号に重畳されてしまう。また、光ディスク媒体が２層の記録層を有している場合は、再生時のＳＮが６ｄＢ程度低下する。さらに、記録動作中にオフトラックが発生し、ＬＰＰ１２００の上にデータが上書きされてしまった後、再生を実行する場合も正確なＬＰＰ信号の検出が困難となってしまう。
【０００９】
本発明は、上記問題に鑑みてなされたものであり、その目的は、ＳＮの悪い条件下においても正確にアドレス等の情報を再生できる情報記録媒体、およびその情報記録媒体を用いてデータの記録および／または再生を実行する装置を提供することにある。
【課題を解決するための手段】
【００１０】
本発明の情報記録媒体は、所定の周期で蛇行するトラックと、前記トラックに隣接する複数のプレピットとを備えた情報記録媒体であって、前記トラックは、複数のフレームユニットを備え、前記複数のフレームユニットのそれぞれに対して前記複数のプレピットのうちの少なくとも１つが割り当てられており、前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、前記第１の蛇行形状は第１の情報を表しており、前記第２の蛇行形状は第２の情報を表しており、前記第１の情報と前記第２の情報とは互いに異なることを特徴とする。
【００１１】
ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレピットは、前記所定のフレームユニットの形状が表す前記第１の情報または前記第２の情報に対応する第３の情報を表している。
【００１２】
ある実施形態において、前記第３の情報は、前記所定のフレームユニットの形状が表す前記第１の情報または前記第２の情報と同じ内容を示している。
【００１３】
ある実施形態において、前記複数のフレームユニットのそれぞれに割り当てられた前記少なくとも１つのプレピットは、対応するフレームユニットの所定の位置に隣接している。
【００１４】
ある実施形態において、前記第１の蛇行形状および前記第２の蛇行形状のそれぞれは、１ビット情報を表す単位形状であり、前記複数のフレームユニットは、前記単位形状の部分を互いに同じ個数有している。
【００１５】
ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットは、前記ワードユニットの先頭を示す情報を表している。
【００１６】
本発明の装置は、前記情報記録媒体へのデータの記録および前記情報記録媒体からのデータの再生のうちの少なくとも一方を実行する装置であって、前記情報記録媒体にレーザ光を照射したときの前記情報記録媒体からの反射光に基づいて得られる信号に含まれる前記第１の情報および前記第２の情報を示す第１の信号を出力する第１の信号出力部と、前記反射光に基づいて得られる前記信号に含まれる前記トラックの蛇行の周波数を示す第２の信号を出力する第２の信号出力部と、前記反射光に基づいて得られる前記信号に含まれる前記プレピットが表す第３の情報を示す第３の信号を出力する第３の信号出力部とを備えることを特徴とする。
【００１７】
ある実施形態において、前記装置は、前記第１の信号の値を所定の周期で検出して積算する積算部と、前記積算した結果に基づいて前記第１の情報および前記第２の情報を検出する第１の検出部とをさらに備える。
【００１８】
ある実施形態において、前記第１の蛇行形状および前記第２の蛇行形状のそれぞれは、１ビット情報を表す単位形状であり、前記複数のフレームユニットは、前記単位形状の部分を互いに同じ個数有しており、前記装置は、所定の回数をカウントするカウンタ部をさらに備え、前記所定の回数は、１つの前記フレームユニットが有する前記単位形状の部分の個数に対応した回数であり、前記積算部は、前記カウンタ部が前記所定の回数をカウントする毎に前記積算した結果をリセットする。
【００１９】
ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットが表す前記第３の情報は、前記ワードユニットの先頭を示しており、前記装置は、前記第３の信号から前記ワードユニットの先頭を示す前記第３の情報を検出する第２の検出部をさらに備え、前記カウンタ部は、前記第２の検出部が前記ワードユニットの先頭を示す前記第３の情報を検出すると、カウント数を初期値に設定する。
【００２０】
ある実施形態において、前記複数のフレームユニットは、２つ以上の前記フレームユニットを備える複数のワードユニットに分けられており、前記複数のワードユニットは、２つ以上の前記ワードユニットを備える複数のブロックユニットに分けられており、前記トラックのうちの前記複数のブロックユニットのそれぞれの先頭に対応する位置には、前記複数のブロックユニットのそれぞれの先頭を識別するための識別情報が記録されており、前記装置は、前記情報記録媒体からの前記反射光に基づいて得られる再生信号から前記識別情報を検出する第３の検出部をさらに備え、前記カウンタ部は、前記第３の検出部が前記識別情報を検出すると、カウント数を初期値に設定する。
【００２１】
ある実施形態において、前記複数のフレームユニットは、２つ以上の前記フレームユニットを備える複数のワードユニットに分けられており、前記複数のワードユニットのそれぞれの先頭に位置するフレームユニットに割り当てられた前記少なくとも１つのプレピットが表す前記第３の情報は、前記ワードユニットの先頭を示しており、前記複数のワードユニットは、２つ以上の前記ワードユニットを備える複数のブロックユニットに分けられており、前記トラックのうちの前記複数のブロックユニットのそれぞれの先頭に対応する位置には、前記複数のブロックユニットのそれぞれの先頭を識別するための識別情報が記録されており、前記装置は、前記第３の信号から前記ワードユニットの先頭を示す前記第３の情報を検出する第２の検出部と、前記情報記録媒体からの前記反射光に基づいて得られる再生信号から前記識別情報を検出する第３の検出部とをさらに備え、前記カウンタ部は、前記第２の検出部による前記ワードユニットの先頭を示す前記第３の情報の検出と、前記第３の検出部による前記識別情報の検出とのうちの一方に応じて、カウント数を初期値に設定する。
【００２２】
ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、前記装置は、前記レーザ光が前記トラックを第１の速度で走査するときは、前記第１の情報、前記第２の情報および前記第３の情報のうちの前記第１の情報および前記第２の情報を選択し、前記レーザ光が前記トラックを第２の速度で走査するときは、前記第１の情報、前記第２の情報および前記第３の情報のうちの前記第３の情報を選択するセレクタ部をさらに備え、前記第１の速度は前記第２の速度よりも速い。
【００２３】
ある実施形態において、前記複数のフレームユニットのそれぞれは、前記第１の蛇行形状および前記第２の蛇行形状の一方を有しており、前記複数のフレームユニットのうちの所定のフレームユニットに割り当てられた前記少なくとも１つのプレピットが表す前記第３の情報は、前記所定のフレームユニットの形状が表す前記第１の情報または前記第２の情報と同じ内容を示しており、前記装置は、記録動作時においては、前記第１の情報、前記第２の情報および前記第３の情報のうちの前記第１の情報および前記第２の情報を選択し、再生動作時においては、前記第１の情報、前記第２の情報および前記第３の情報のうちの前記第３の情報を選択するセレクタ部をさらに備える。
【００２４】
ある実施形態において、前記第１の信号から前記第１の情報および前記第２の情報を検出するときの第１の誤り率と、前記第３の信号から前記第３の情報を検出するときの第２の誤り率とを比較し、前記第１の誤り率が前記第２の誤り率よりも低い場合は、前記第１の情報、前記第２の情報および前記第３の情報のうちの前記第１の情報および前記第２の情報を選択し、前記第１の誤り率が前記第２の誤り率よりも高い場合は、前記第１の情報、前記第２の情報および前記第３の情報のうちの前記第３の情報を選択するセレクタ部をさらに備える。
【００２５】
本発明の方法は、前記情報記録媒体へのデータの記録および前記情報記録媒体からのデータの再生のうちの少なくとも一方を実行する方法であって、前記情報記録媒体にレーザ光を照射したときの前記情報記録媒体からの反射光に基づいて得られる信号に含まれる前記第１の情報および前記第２の情報を示す第１の信号を出力する第１のステップと、前記反射光に基づいて得られる前記信号に含まれる前記トラックの蛇行の周波数を示す第２の信号を出力する第２のステップと、前記反射光に基づいて得られる前記信号に含まれる前記プレピットが表す第３の情報を示す第３の信号を出力する第３のステップとを包含することを特徴とする。
【００２６】
本発明の情報記録媒体は、複数の記録層を備えた情報記録媒体であって、前記複数の記録層のそれぞれは、所定の周期で蛇行するトラックと、前記トラックに隣接する複数のプレピットとを備え、前記トラックは、複数のフレームユニットを備え、前記複数のフレームユニットのそれぞれに対して前記複数のプレピットのうちの少なくとも１つが割り当てられており、前記複数のフレームユニットのそれぞれは、立ち上がり部分よりも立ち下がり部分が急峻な第１の蛇行形状、および立ち下がり部分よりも立ち上がり部分が急峻な第２の蛇行形状の少なくとも一方を有しており、前記第１の蛇行形状は第１の情報を表しており、前記第２の蛇行形状は第２の情報を表しており、前記第１の情報と前記第２の情報とは互いに異なることを特徴とする。
【発明の効果】
【００２７】
本発明によれば、トラックは、第１の情報を表す第１の蛇行形状と、第２の情報を表す第２の蛇行形状とを備える。これらの第１の蛇行形状および第２の蛇行形状を組み合わせることにより、アドレス等の情報が表される。トラック上のユーザデータを記録するための領域にアドレス情報を記録しておく必要がないので、ユーザデータを記録するための記録容量を大きく確保することができる。また、所定のフレームユニットの蛇行形状と、その所定のフレームユニットに割り当てられたプレピットとが互いに対応した情報（例えば、同じ情報）を表す構成を採用すれば、プレピットが表す情報を正確に再生できなかった場合でも、フレームユニットの蛇行形状が表す情報を再生することにより、その情報を正確に再生することができる。
【００２８】
また、本発明によれば、プレピットが表す情報を基点として第１および第２の情報を示す信号（二次高調波信号）の値を積分することにより、蛇行形状が表す情報を検出することができる。二次高調波信号の値を積分することにより、高域ノイズ成分を除去することができ、蛇行形状が表すアドレスなどの情報を正確に再生することが可能になる。また、一方、ＬＰＰ信号は高い周波数を有しており、低域ノイズ成分の影響を受けにくい。ノイズの種類に応じて二次高調波信号とＬＰＰ信号とを使い分けることにより、アドレス等の情報をより正確に再生することができる。また、例えば、低倍速記録再生時には、従来の情報記録媒体との互換性の観点からＬＰＰ信号を用いて情報を検出し、高倍速記録再生時には二次高調波信号を用いて情報を検出するといった、二次高調波信号およびＬＰＰ信号の双方の利点を考慮した二次高調波信号とＬＰＰ信号との使い分けも可能である。
【発明を実施するための最良の形態】
【００２９】
以下、図面を参照しながら本発明の実施形態を説明する。
【００３０】
（実施形態１）
まず、図１Ａを参照して、本実施形態の情報記録媒体を説明する。図１Ａは、本実施形態の情報記録媒体１００が備える記録層１０１の一部を拡大して示す平面図である。情報記録媒体１００は光ディスク媒体である。
【００３１】
記録層１０１は、光ディスク媒体１００の中心の周りに渦巻き状に形成されたトラックグルーブ（以下、「トラック」と略記する）１０を備える。トラック１０は、レーザ光の入射方向から見ると記録層１０１中の凹部（溝）であるが、凸部であってもよい。トラック１０は、光ディスク媒体１００の径方向に所定の単一の基本周期で蛇行（ウォブリング）している。
【００３２】
トラック１０の蛇行の一周期に相当する部分の蛇行形状は、鋸歯状蛇行（Ｓａｗ  Ｔｏｏｔｈ  Ｗｏｂｂｌｅ：ＳＴＷ）形状である。トラック１０は、ＳＴＷ形状として、第１の蛇行形状１１１と第２の蛇行形状１１２とを有している。
【００３３】
トラック１０上におけるビームスポットの移動方向（トラック１０の中心の接線方向と平行な方向）に沿って、光ディスク媒体１００の内側から外側へ向かう方向へ曲がっている蛇行形状の部分を立ち上がり部分と呼び、光ディスク媒体１００の外側から内側へ向かう方向へ曲がっている蛇行形状の部分を立ち下がり部分と呼ぶ。第１の蛇行形状１１１は、立ち上がり部分１１３よりも立ち下がり部分１１４が急峻な形状であり、第２の蛇行形状１１２は立ち下がり部分１１６よりも立ち上がり部分１１５が急峻な形状である。第１の蛇行形状１１１および第２の蛇行形状１１２のそれぞれは、１ビット情報を表す単位形状である。第１の蛇行形状１１１は第１の情報を表しており、第２の蛇行形状１１２は第２の情報を表している。第１の情報と第２の情報とは互いに異なる。例えば、第１の情報は１ビット情報の"０"であり、第２の情報は１ビット情報の"１"である。第１の情報および第２の情報は、例えば、光ディスク媒体１００に記録された情報のうちの副情報（アドレス情報等）を示している。
【００３４】
記録層１０１からの反射光に基づいて得られる第１の蛇行形状１１１に対応した信号の波形は、立ち上がりエッジよりも立ち下がりエッジが急峻となる。また、その反射光に基づいて得られる第２の蛇行形状１１２に対応した信号の波形は、立ち下がりエッジよりも立ち上がりエッジが急峻となる。このような蛇行形状１１１に対応した信号の波形と、蛇行形状１１２に対応した信号の波形との違いから、第１の情報"０"と第２の情報"１"とを識別することができる。
【００３５】
光ディスク媒体１００へのデータの記録および光ディスク媒体１００からのデータの再生時には、回転する光ディスク媒体１００の記録層１０１上にレーザ光のビームスポットが形成され、トラック１０の略中心を追従するようにビームスポットの位置が高い精度で制御される。このような制御はトラッキング制御と呼ばれる。
【００３６】
光ディスク媒体１００から反射される光を光ディスク装置の光ピックアップが備えるフォトディテクタが検出し、フォトディテクタから出力される信号に基づいてトラッキング制御は行なわれる。トラッキング制御の下では、ビームスポットはトラック１０の略中心を追従している。
【００３７】
フォトディテクタから出力される差信号には、トラック１０のＳＴＷ形状を反映した強度変化を示す成分が含まれている。第１の蛇行形状１１１と第２の蛇行形状１１２とでは、トラック１０が光ディスク媒体１００の径方向（トラック１０の中心の接線方向に対して垂直な方向）にウォブリングするときの急峻さが異なっている。このため、ＳＴＷ形状に対応する信号波形の立ち上がりエッジと立ち下がりエッジとの間の急峻さの違いにＳＴＷ形状が反映される。
【００３８】
第１の蛇行形状１１１は、光ディスク媒体１００の内側から外側へ向かう方向へ相対的に緩やかに変位した後、光ディスク媒体１００の外側から内側へ向かう方向へ相対的に急峻に変位している。このため、第１の蛇行形状１１１に対応する信号でも、立ち上がりエッジよりも立ち下がりエッジが相対的に急峻になる。
【００３９】
一方、第２の蛇行形状１１２は、光ディスク媒体１００の内側から外側へ向かう方向へ相対的に急峻に変位した後、光ディスク媒体１００の外側から内側へ向かう方向へ相対的に緩やかに変位している。このため、第２の蛇行形状１１２に対応する信号でも、立ち下がりエッジよりも立ち上がりエッジが相対的に急峻になる。
【００４０】
次に、フレームユニットを説明する。
【００４１】
トラック１０は、複数のフレームユニット１１および１２を備える。複数のフレームユニット１１のそれぞれは、複数の第１の蛇行形状１１１を備える。複数のフレームユニット１２のそれぞれは、複数の第２の蛇行形状１１２を備える。第１の蛇行形状１１１および第２の蛇行形状１１２のそれぞれは１ビット情報を表す単位形状であり、フレームユニット１１および１２のそれぞれは、これら単位形状を有する部分を同じ個数備えている。
【００４２】
記録層１０１は、トラック１０が形成されていない領域（渦巻き状のトラック１０の隣接する部分間の領域）の特定位置に複数のＬＰＰ（ランドプレピット）２１および２２を備える。ＬＰＰ２１および２２はトラック１０に隣接して形成されている。フレームユニット１１および１２のそれぞれに対して少なくとも１つのＬＰＰ２１または２２が割り当てられている。ＬＰＰ２１はフレームユニット１１の所定の位置に隣接して割り当てられており、ＬＰＰ２２はフレームユニット１２の所定の位置に隣接して割り当てられている。ＬＰＰ２１は、フレームユニット１１の形状（第１の蛇行形状１１１）が表す第１の情報に対応する情報を表している。ＬＰＰ２２は、フレームユニット１２の形状（第２の蛇行形状１１２）が表す第２の情報に対応する情報を表している。例えば、ＬＰＰ２１および第１の蛇行形状１１１は、互いに同じ情報（第１の情報）を表し、ＬＰＰ２２および第２の蛇行形状１１２は、互いに同じ情報（第２の情報）を表している。
【００４３】
次に、図１Ｂを参照して、光ディスク媒体１００をより詳細に説明する。図１Ｂは、光ディスク媒体１００の一部を立体的に示す斜視図である。光ディスク媒体１００が備える記録層の数は１層でもよいし、２層以上でも良い。図１Ｂに示す光ディスク媒体１００は、２つの記録層１０１および１０１ａを備える。記録層１０１ａが備える構成要素は、記録層１０１が備える構成要素と同様であるので、ここでは説明を省略する。
【００４４】
光ディスク媒体１００は基板１０２を備え、基板１０２の記録面側に記録層１０１が形成されている。記録面とは、光ディスク媒体１００が光ディスク装置に装着されたときに光ピックアップと対向する側の面である。記録層１０１の基板１０２とは反対の側には透明樹脂層１０３が形成されており、透明樹脂層１０３の記録層１０１とは反対の側に記録層１０１ａが形成されている。透明樹脂層１０３により、記録層１０１と記録層１０１ａとの間に所定の間隔（例えば約３０〜６０μｍ）があけられている。記録層１０１ａの透明樹脂層１０３とは反対の側には、保護層１０４が形成されている。保護層１０４は、記録層１０１および１０１ａを汚れやキズが付かないように保護している。
【００４５】
各構成要素のサイズとしては、例えば、トラック１０の隣接するグルーブ間の距離は約０．７〜０．８μｍ、トラック１０のグルーブ幅は約０．２〜０．５μｍ、トラック１０の段差（高さまたは深さ）は波長換算でλ／１６〜λ／８（λ：波長）に設定されている。これらのサイズは、ビームスポットの直径が約１μｍである場合に対応している（例えば、波長６５０ｎｍ、ＮＡ＝０．６５のレーザ光を用いるとビームスポットの直径は約１μｍになる）。記録層１０１と記録層１０１ａとの間の距離は、約３０〜６０μｍである。ＬＰＰ２１および２２の形状は、図１Ｂ中では円形で示されており、トラック１０の接線方向に沿ったサイズは約０．５〜１．０μｍである。トラック１０の蛇行の１周期の長さは約１５〜３０μｍである。この場合、蛇行形状に対応した信号の周波数は、ＬＰＰに対応した信号の周波数の１／３０程度となる。なお、これらの各構成要素のサイズは一例であり、使用するレーザ光のビームスポットが小さくなれば、それに比例して、各構成要素のサイズも小さくなり得る。
【００４６】
次に、図２Ａ、図２Ｂおよび図２Ｃを参照して、フレームユニットをより詳細に説明する。
【００４７】
図２Ａ〜図２Ｃは、３種類のフレームユニット１１、１２および１３を表すテーブルを示す図である。符号"Ｌ"は、第１の蛇行形状１１１を示し、符号"Ｔ"は、第２の蛇行形状１１２を示している。
【００４８】
各フレームユニット１１、１２および１３には、第１の蛇行形状１１１または第２の蛇行形状１１２によって表される１ビット情報（"０"または"１"）が割り当てられている。また、フレームユニット１３には、更に、情報"ＳＹＮＣ"が割り当てられている。情報"ＳＹＮＣ"は、後述するワードユニット（図３）の先頭を示す情報である。フレームユニット１１には１ビット情報"０"が割り当てられている。フレームユニット１２には１ビット情報"１"が割り当てられている。フレームユニット１１、１２および１３は、１ビット情報を表す単位形状である第１の蛇行形状１１１を有する部分または第２の蛇行形状１１２を有する部分を互いに同じ個数備えている。図２Ａ〜図２Ｃに示す例では、各フレームユニット１１、１２および１３は、１６個の単位形状を有する部分を備えている。
【００４９】
各フレームユニット１１、１２および１３には、ＬＰＰ２１または２２が割り当てられており、ＬＰＰ２１および２２によってフレームユニット１１、１２および１３が識別される。
【００５０】
ＬＰＰ２１および２２は、例えば、各フレームユニット１１、１２および１３の先頭側に位置する２つの単位形状のうちの少なくとも一方に隣接して形成されている。図２Ａ〜図２Ｃに示す符号"Ｐ"は、１６個の単位形状のうちのＬＰＰ２１および２２が形成される単位形状を示している。フレームユニット１１の先頭側に位置する２つの単位形状のうちの一番先頭の単位形状にはＬＰＰ２１は割り当てられておらず、先頭から２番目の単位形状にはＬＰＰ２１が割り当てられている。このようなフレームユニット１１へのＬＰＰ２１の割り当てパターンは１ビット情報"０"を表している。フレームユニット１２の先頭側に位置する２つの単位形状のうちの一番先頭の単位形状にはＬＰＰ２２が割り当てられており、先頭から２番目の単位形状にはＬＰＰ２２が割り当てられていない。このようなフレームユニット１２へのＬＰＰ２２の割り当てパターンは１ビット情報"１"を表している。フレームユニット１３の先頭側に位置する２つの単位形状の両方にＬＰＰ２１が割り当てられている。このようなフレームユニット１３へのＬＰＰ２１の割り当てパターンは情報"ＳＹＮＣ"を表している。
【００５１】
先頭側に位置する２つの単位形状のうちのＬＰＰ２１および２２が形成されていない単位形状を"−"と表す場合、１ビット情報"０"は"−Ｐ"とバイフェーズ表記で表すことができる。同様に、１ビット情報"１"は"Ｐ−"と表され、情報"ＳＹＮＣ"は"ＰＰ"と表される。
【００５２】
フレームユニット１１が有する第１の蛇行形状１１１が表す情報は、フレームユニット１１へのＬＰＰ２１の割り当てパターンが表す情報と同じ内容（１ビット情報"０"）を表している。また、フレームユニット１２が有する第２の蛇行形状１１２が表す情報は、フレームユニット１２へのＬＰＰ２２の割り当てパターンが表す情報と同じ内容（１ビット情報"１"）を表している。
【００５３】
ＬＰＰ２１および２２がフレームユニットの先頭側に集中して設けられているのに対し、第１の蛇行形状１１１および第２の蛇行形状１１２のそれぞれは、１６周期の蛇行に渡って連続して形成されている。フレームユニット１１では、第１の蛇行形状１１１（符号"Ｌ"）が１６個連続しており、１６個の第１の蛇行形状１１１のそれぞれが１ビット情報"０"を表している。フレームユニット１２では、第２の蛇行形状１１２（符号"Ｔ"）が１６個連続しており、１６個の第２の蛇行形状１１２のそれぞれが１ビット情報"１"を表している。
【００５４】
このような第１および第２の蛇行形状１１１および１１２に対応する信号（二次高調波信号）の値を所定の周期で１６回検出して積算することにより、第１および第２の蛇行形状１１１および１１２が表す情報を検出することができる。二次高調波信号の値を１６回積算することにより、積算しない場合と比較して高域のノイズレベルを約１／４に低下（約−１２ｄＢ）させることができ、その分、ＳＮが悪い条件下でも正確に情報を検出できる割合を高めることが出来る。また、一方、ＬＰＰ２１および２２はフレームユニットの先頭部に集中的に配置されているので、ＬＰＰ２１および２２に対応する信号（ＬＰＰ信号）は高い周波数を有している。このため、ＬＰＰ信号は低域ノイズ成分の影響を受けにくい。従って、発生するノイズの種類に応じて二次高調波信号とＬＰＰ信号とを使い分けることにより、アドレス等の情報をより正確に再生することができる。このような、二次高調波信号およびＬＰＰ信号に含まれる情報の検出動作については、実施形態２以降でより詳細に説明する。
【００５５】
上述のように、二次高調波信号の値を１６回積算することにより、第１および第２の情報の検出時のＳＮを１２ｄＢ改善させることができる。言い換えれば、二次高調波信号は、その振幅がキャリア振幅の１／４（−１２ｄＢ）でも検出可能ということになり、その条件に合わせて、蛇行形状の立ち上がり部分および立ち下がり部分の傾斜のレベルを決定することが可能である。トラック１０の蛇行の周波数を示す信号の波形が−１２ｄＢ程度歪んでも、トラック１０の蛇行の周波数の検出に大きな影響は与えない。このことは、互いに異なるフォーマットの光ディスク媒体同士の互換性を確保するという点において非常に有利である。ＳＴＷ形状を検出する機能を備えておらず、ＬＰＰのみからアドレス情報を検出する光ディスク装置は、蛇行の周波数を示す信号の波形の多少の歪みは無視して蛇行の周波数を検出する。このため、そのような光ディスク装置に光ディスク媒体１００が装着された場合でも、光ディスク装置は、蛇行の周波数を示す信号の波形の多少の歪み（ＳＴＷ形状に起因する歪み）は無視して蛇行の周波数を検出するので、光ディスク媒体１００以外の光ディスク媒体と同様に記録再生動作を実行することができる。
【００５６】
ＬＰＰおよびＳＴＷ形状の両方からアドレス情報を検出する光ディスク装置（実施形態２以降で説明する）では、仮にＬＰＰ（またはＳＴＷ形状）からのアドレス情報の検出に失敗しても、ＳＴＷ形状（またはＬＰＰ）からアドレス情報を検出すればよいので、アドレス情報の検出の信頼性を高めることができる。
【００５７】
なお、情報"ＳＹＮＣ"が割り当てられたフレームユニット１３の蛇行形状は、"ＰＰ"に相当する形状を有していない。本実施形態では、フレームユニット１３は、レファレンスとして１ビット情報"０"を示す第１の蛇行形状１１１を備えている。
【００５８】
次に、図３を参照して、ワードユニットを説明する。トラック１０が備える複数のフレームユニット１１、１２および１３は、２つ以上のフレームユニットを備える複数のワードユニット１４にグループ分けされている。図３は、ワードユニット１４を表すテーブルを示す図である。ワードユニット１４は、１２個のフレームユニット１１、１２および１３を備える。すなわち、１つのワードユニット１４は、１２ビットの情報を有している。ワードユニット１４の先頭には、フレームユニット１３が位置している。フレームユニット１３に割り当てられたＬＰＰ２１は、ワードユニット１４の先頭を示す情報"ＳＹＮＣ"を表している。
【００５９】
次に、図４を参照して、ブロックユニットを説明する。複数のワードユニット１４は、２つ以上のワードユニット１４を備える複数のブロックユニット１５にグループ分けされている。図４は、ブロックユニット１５を表すテーブルを示す図である。ブロックユニット１５は、８個のワードユニット１４を備える。"ＳＹＮＣ"を表すワードユニット１４以外の１１個のワードユニット１４が表す１１ビットの情報は、３ビットのワードアドレスデータと８ビットのバイトデータとに分けられている。８個のワードユニット１４の各ビットデータは、ブロックユニット１５のアドレス情報および管理情報、並びにそれらに対するパリティ情報を示している。
【００６０】
なお、トラック１０のブロックユニット１５の先頭に対応する位置には、複数のブロックユニット１５のそれぞれの先頭を識別するための識別情報が記録されている。
【００６１】
上記のようなブロックユニット１５は、トラック１０に記録されるユーザデータの１ＥＣＣ（Ｅｒｒｏｒ  Ｃｏｒｒｅｃｔｉｏｎ  Ｃｏｄｅ）ブロック単位に相当する。
【００６２】
（実施形態２）
図５および図６を参照しながら、本発明による光ディスク装置の実施形態を説明する。図５は、本実施形態の光ディスク装置２００を示すブロック図であり、図６は、光ディスク装置２００の動作を示すタイミングチャートである。光ディスク装置２００は、光ディスク媒体１００へのデータの記録および光ディスク媒体１００からのデータの再生のうちの少なくとも一方を実行する装置である。
【００６３】
光ディスク装置２００は、公知の光ディスク装置が備えている光ピックアップ（不図示）を備えている。この光ピックアップ内の半導体レーザから放射されたレーザ光が対物レンズによって光ディスク媒体１００（図１Ａ）の記録層１０１上に集光され、その記録層１０１上にビームスポットを形成する。光ディスク装置２００によるトラッキング制御およびフォーカシング制御により、ビームスポットはトラック１０を追従する。
【００６４】
記録層１０１にレーザ光を照射したときに記録層１０１で反射された光は、光ピックアップ内のフォトディテクタで検出される。フォトディテクタは、複数の受光領域に分割されている。受光領域は、トラック１０の接線方向に沿って互いに分割されており、受光領域から信号ＷＢＬＰおよびＷＢＬＮが出力される。光ディスク装置２００が備える差動アンプ３０は、信号ＷＢＬＰおよびＷＢＬＮに基づいて差動信号（ウォブル信号）ＷＢＬを生成する。このウォブル信号ＷＢＬは、トラック１０の蛇行の基本周波数を示す基本波信号と、記録層１０１上のＳＴＷ形状が表す情報を示す二次高調波信号と、ＬＰＰが表す情報を示すＬＰＰ信号とを含んでいる。周波数軸で見ると、二次高調波信号は相対的に低周波の領域に分散したスペクトルを有しており、ＬＰＰ信号は相対的に高周波の領域に集中したスペクトルを有している。例えば、ＤＶＤ規格における標準速に対応する速度で光ディスク媒体１００を駆動しているとき、二次高調波信号の周波数は約２００ｋＨｚ〜２ＭＨｚ、ＬＰＰ信号の周波数は約８ＭＨｚ〜１６ＭＨｚである。
【００６５】
光ディスク装置２００は、ウォブル信号ＷＢＬに含まれるＳＴＷ形状が表す情報を示す二次高調波信号ＨＭ２を出力する第１の信号出力部４１と、ウォブル信号ＷＢＬに含まれるトラック１０の蛇行の基本周波数を示す基本波信号４２ａを出力する第２の信号出力部４２と、ウォブル信号ＷＢＬに含まれるＬＰＰが表す情報を示すＬＰＰ信号４３ａを出力する第３の信号出力部４３とを備える。
【００６６】
第１の信号出力部４１は、ウォブル信号ＷＢＬを受け取り、ウォブル信号ＷＢＬに含まれる二次高調波信号ＨＭ２を少なくとも通過させるバンドパスフィルタ（ＢＰＦ）である。第２の信号出力部４２は、ウォブル信号ＷＢＬを受け取り、基本波信号４２ａを少なくとも通過させるＢＰＦである。第３の信号出力部４３は、ウォブル信号ＷＢＬを受け取り、ＬＰＰ信号４３ａを少なくとも通過させるＢＰＦである。ＢＰＦを用いることにより、相対的に低周波の領域にスペクトルを有する二次高調波信号ＨＭ２と、相対的に高周波の領域にスペクトルを有するＬＰＰ信号４３ａとを分離することができる。
【００６７】
ＢＰＦ４１〜４３により、ウォブル信号ＷＢＬから、二次高調波信号ＨＭ２、基本波信号４２ａ、およびＬＰＰ信号４３ａがそれぞれ抽出される。
【００６８】
なお、ＢＰＦ４１〜４３は、結果的にＢＰＦとして機能する回路を利用できれば、特別のフィルタ回路を設けて実現する必要はない。例えば、ＬＰＰ信号４３ａの周波数は相対的に高いため、意図的にローパスフィルタを設けなくとも、回路の周波数特性によっては高域の通過が自然と制限される。また、ＬＰＰ信号４３ａの周波数は相対的に高いことにより、ＢＰＦ４３は、低域の波形変動分を除去するための単なるハイパスフィルタを実際に回路に付加するだけでも実現できる。
【００６９】
また、後述の乗算器７１および積算器７２で構成されるいわゆるヘテロダイン検出回路が事実上のバンドパスフィルタを構成している。このため、ＢＰＦ４１が行う信号処理は、ヘテロダイン検出回路の信号処理前の前処理的なものと考えてよい。また、乗算器７１および積算器７２がＢＰＦ４１の機能を有していてもよい。
【００７０】
光ディスク装置２００は、ＬＰＰ信号４３ａを二値化すると共にワードユニットの先頭を示す情報"ＳＹＮＣ"を検出する検出部３３と、アドレス信号を生成するアドレスデコーダ５６とをさらに備える。検出部３３は、ＢＰＦ４３で抽出されたＬＰＰ信号４３ａを二値化するコンパレータ５３と、情報"ＳＹＮＣ"を検出するＳＹＮＣ検出回路５４とを備える。コンパレータ５３は、閾値５３ｂ（図６）を用いてＬＰＰ信号４３ａを二値化して二値化信号５３ａを生成する。コンパレータ５３は、二値化信号５３ａをアドレスデコーダ５６およびＳＹＮＣ検出回路５４へ出力する。ＳＹＮＣ検出回路５４は、二値化信号５３ａから情報"ＳＹＮＣ"を検出して、情報"ＳＹＮＣ"を示す信号５４ａをアドレスデコーダ５６へ出力する。
【００７１】
光ディスク装置２００は、同期信号ＣＬＫを生成する同期信号生成部３２をさらに備える。同期信号生成部３２は、基本波信号４２ａを二値化するコンパレータ５１と、同期信号ＣＬＫを生成するＰＬＬ（Ｐｈａｓｅ−Ｌｏｃｋｅｄ  Ｌｏｏｐ）６１と、順次分周器（カウンタ）６２および６３とを備える。コンパレータ５１は、基本波信号４２ａを二値化して生成した二値化信号５１ａをＰＬＬ６１へ出力する。ＰＬＬ６１は、二値化信号５１ａから同期信号ＣＬＫを生成する。同期信号ＣＬＫは、順次分周器６２および６３によってＮ／２分周および２分周され、順次分周器６３から出力された同期二値化信号ＰＷＢＬがＰＬＬ６１の位相比較器（図示せず）にフィードバックされる。アドレスデコーダ５６は同期信号ＣＬＫと同期して動作する。
【００７２】
ウォブル信号ＷＢＬからは、ＢＰＦ４１によって二次高調波信号ＨＭ２が抽出される。第１の蛇行形状１１１と第２の蛇行形状１１２との違いは、二次高調波信号ＨＭ２の極性の反転として現れる。例えば、第１の蛇行形状１１１に対応した二次高調波信号ＨＭ２は図６に示す実線の波形となり、第２の蛇行形状１１２に対応した二次高調波信号ＨＭ２は図６に示す点線の波形（第１の蛇行形状１１１に対応した二次高調波信号ＨＭ２の極性が反転した波形）となる。
【００７３】
光ディスク装置２００は、所定の回数をカウントするカウンタ部６４と、二次高調波信号ＨＭ２の値を所定の周期で検出して積算する積算部３１と、その積算した結果に基づいて第１および第２の蛇行形状１１１および１１２が示す情報を検出する検出部３４とをさらに備える。積算部３１は、位相補正器７０と、乗算器７１と、積算器７２とを備える。位相補正器７０は、二次高調波信号ＨＭ２の位相を補正する。乗算器７１は、分周器６２から出力された同期逓倍信号ＳＳ２と、二次高調波信号ＨＭ２とを乗算する。積算器７２は、１フレームユニットに相当する期間、乗算器７１から出力された信号７１ａの値を積算し、その積算値を示す信号７２ａを検出部３４へ出力する。
【００７４】
検出部３４は、コンパレータ７３と、アドレスデコーダ７４とを備える。コンパレータ７３は、予め設定されたしきい値を用いて信号７２ａが示す積算値を二値化することにより、第１の蛇行形状１１１が表す情報（例えば"０"）および第２の蛇行形状１１２が表す情報（例えば"１"）を検出することができる。アドレスデコーダ７４は、コンパレータ７３の二値化結果からアドレス信号を生成する。
【００７５】
フレームユニット１１〜１３（図２Ａ〜図２Ｃ）は、蛇行の単位形状を有する部分を１６個備えている。カウンタ６４は、同期二値化信号ＰＷＢＬのパルスを１６回カウントする毎にフレームパルス信号ＦＲを出力する。フレームパルス信号ＦＲのパルス間隔は、フレームユニット長に相当している。
【００７６】
このパルス信号ＦＲをフレームユニットの先頭に相当するタイミングで発生させるためには、適切なタイミングでカウンタ６４の値を初期値にセットする必要がある。カウンタ６４は、ＳＹＮＣ検出回路５４から出力される情報"ＳＹＮＣ"を示す信号５４ａを用いて、初期値をセットする。図２Ａを参照して説明したように、情報"ＳＹＮＣ"を表すＬＰＰは集中配置されているため、フレームユニットの先頭に相当するタイミングを正確に得ることができる。
【００７７】
図６では、簡単化のため、１つのフレームユニットが備える蛇行の単位形状を有する部分は６個に設定している。カウンタ６４は、信号５４ａを検出し、信号５４ａの出力タイミングに合わせて、カウント数を初期値「２」に設定する。カウンタ６４は、同期二値化信号ＰＷＢＬのパルスの発生毎に「２」から順次、３→４→５→０→１→・・・と巡回計数動作を実行する。カウンタ６４は、いわゆるフレーム周期で自己リセットがかかるリングカウンタである。したがって、ＬＰＰ信号４３ａの再生品位が悪く、低い確率でしか情報"ＳＹＮＣ"が検出できなくとも、カウンタ６４は、初期値が１回セットされれば、トラッキング制御が続く限り、巡回カウントを継続する。
【００７８】
次に、ＳＴＷ形状が表す情報の検出動作をより詳細に説明する。
【００７９】
分周器６２からは、ウォブル信号ＷＢＬの２倍の周波数の同期逓倍信号ＳＳ２が出力される。位相補正器７０で位相が補正された二次高調波信号ＨＭ２と、同期逓倍信号ＳＳ２とを乗算器７１で乗算すれば、二次高調波信号ＨＭ２の位相極性（ＳＴＷ形状の種類）に応じて、乗算結果は正（実線）または負（点線）の値をとる。
【００８０】
積算器７２が、この乗算結果を示す信号７１ａを、１フレームユニットに相当する期間積算すれば、ノイズ成分は除去される。コンパレータ７３は、"０"および"１"の判定レベル（しきい値）を有し、積算値を二値化することにより、第１の蛇行形状１１１が表す情報（例えば"０"）および第２の蛇行形状１１２が表す情報（例えば"１"）を検出することができる。アドレスデコーダ７４は、同期二値化信号ＰＷＢＬと同期して動作する。なお、積算器７２は、フレームパルス信号ＦＲが出力される毎に積算値をリセットする。
【００８１】
（実施形態３）
図７は、本発明の光ディスク装置の他の実施形態を示すブロック図である。
【００８２】
図７に示す光ディスク装置３００は、図５に示す光ディスク装置２００の構成要素に加え、信号ＷＢＬＰおよびＷＢＬＮを加算して再生信号を生成する加算器８０と、再生信号から識別情報を検出する検出部３５と、ユーザデータを出力するデータデコーダ８５と、セレクタ８６とをさらに備える。検出部３５は、ＥＱ回路８１と、コンパレータ８２と、ＰＬＬ８３と、ヘッダー検出回路８４とを備える。
【００８３】
加算器８０から出力された再生信号８０ａは、コンパレータ８２によって二値化されると共に、ＰＬＬ８３によって位相同期がなされる。その後、再生信号８０ａは、クロック信号ＤＣＫと同期データＳＤＡＴとに分離され、データデコーダ８５およびヘッダー検出回路８４へ出力される。
【００８４】
ヘッダー検出回路８４は、ブロックユニット１５の先頭を識別するための識別情報を同期データＳＤＡＴから検出し、識別情報を示すヘッダー信号ＨＤＲを検出する。
【００８５】
本実施形態では、このヘッダー信号ＨＤＲを用いてカウンタ６４の初期値を設定することができる。セレクタ８６は、ヘッダー信号ＨＤＲと、ＳＹＮＣ検出回路５４から出力される信号５４ａとのうちの一方を選択してカウンタ６４へ出力する。カウンタ６４は、セレクタ８６から出力されたヘッダー信号ＨＤＲおよび信号５４ａの一方を受け取ると、カウント数を初期値に設定する。
【００８６】
ＬＰＰ上にデータが誤って上書きされ、情報"ＳＹＮＣ"の検出頻度が極端に低くなった場合には、信号５４ａの代わりにヘッダー信号ＨＤＲを用いて、カウンタ６４の初期値を設定することができる。セレクタ８６は、例えば、レーザ光が走査しているトラックの領域が記録済み領域か未記録領域かを示す信号８６ａを受け取り、レーザ光が記録済み領域を走査しているときはヘッダー信号ＨＤＲをカウンタ６４へ出力し、レーザ光が未記録領域を走査しているときは信号５４ａをカウンタ６４へ出力する。
【００８７】
（実施形態４）
図８は、本発明の光ディスク装置の他の実施形態を示すブロック図である。
【００８８】
図８に示す光ディスク装置４００は、図５に示す光ディスク装置２００の構成要素に加え、セレクタ７５をさらに備える。
【００８９】
アドレスデコーダ５６はアドレス信号５６ａをセレクタ７５へ出力し、アドレスデコーダ７４はアドレス信号７４ａをセレクタ７５へ出力する。セレクタ７５は、光ディスク媒体１００の駆動速度を示す速度モード切り替え信号７５ａを受け取り、光ディスク媒体１００の駆動速度に応じてアドレス信号５６ａおよびアドレス信号７４ａの一方を選択する。
【００９０】
光ディスク媒体１００が高速モードで駆動され、レーザ光がトラック１０を線速度Ｖ1で走査しているときは、セレクタ７５は、アドレス信号７４ａを選択して出力する（すなわち、ＳＴＷ形状が表す情報およびＬＰＰが表す情報のうちのＳＴＷ形状が表す情報を選択する）。一方、光ディスク媒体１００が標準速あるいは低速モードで駆動され、レーザ光がトラック１０を線速度Ｖ2（Ｖ1＞Ｖ2）で走査しているときは、セレクタ７５は、アドレス信号５６ａを選択して出力する（すなわち、ＳＴＷ形状が表す情報およびＬＰＰが表す情報のうちのＬＰＰが表す情報を選択する）。
【００９１】
二次高調波信号ＨＭ２の帯域は相対的に低域であり、ＬＰＰ信号４３ａの帯域は相対的に高域である。このため、光ディスク媒体１００が高倍速で駆動されているときは、ＬＰＰ信号４３ａから生成されたアドレス信号５６ａよりも、二次高調波信号ＨＭ２から生成されたアドレス信号７４ａの方が信頼性は高くなる。従って、この場合は、セレクタ７５は、アドレス信号７４ａを選択する。一方、光ディスク媒体１００が標準速あるいは低速モードで駆動されているときは、ＬＰＰ信号４３ａから生成されたアドレス信号５６ａの信頼性も高い。従って、この場合は、ＬＰＰを有するがＳＴＷ形状を有しない他の光ディスク媒体との互換性を考慮して、アドレス信号５６ａを選択する。
【００９２】
このように、光ディスク媒体１００の駆動速度に応じてアドレス信号５６ａおよびアドレス信号７４ａを使い分けることにより、よりエラーの少ない信頼性の高い光ディスク装置を実現することができる。
【００９３】
なお、セレクタ７５は、光ディスク装置４００が再生動作を実行しているか記録動作を実行しているかに応じて、アドレス信号５６ａおよびアドレス信号７４ａの一方を選択してもよい。この場合、セレクタ７５は、光ディスク装置４００の動作状況を示す記録再生切り替え信号７５ｂを受け取る。光ディスク装置４００が再生動作を実行しているときには、セレクタ７５は、アドレス信号５６ａを選択して出力する（すなわち、ＳＴＷ形状が表す情報およびＬＰＰが表す情報のうちのＬＰＰが表す情報を選択する）。光ディスク装置４００が記録動作を実行しているときには、セレクタ７５は、アドレス信号７４ａを選択して出力する（すなわち、ＳＴＷ形状が表す情報およびＬＰＰが表す情報のうちのＳＴＷ形状が表す情報を選択する）。
【００９４】
記録動作中は、レーザ光はマルチパルス波形を有するので、信号ＷＢＬＰおよびＷＢＬＮには高域の強いノイズが重畳される。従って、この場合は、高域ノイズの影響を受けにくい二次高調波信号ＨＭ２から生成されたアドレス信号７４ａの信頼性がアドレス信号５６ａよりも高くなると想定されるので、セレクタ７５は、アドレス信号７４ａを選択して出力する。
【００９５】
再生動作中は、ユーザデータを示す信号がウォブル信号ＷＢＬに低域ノイズとして重畳される。従って、この場合は、低域ノイズの影響を受けにくいＬＰＰ信号４３ａから生成されたアドレス信号５６ａの信頼性がアドレス信号７４ａよりも高くなると想定されるので、セレクタ７５は、アドレス信号５６ａを選択して出力する。
【００９６】
このように、光ディスク装置４００が再生動作を実行しているか記録動作を実行しているかに応じて、アドレス信号５６ａおよびアドレス信号７４ａを使い分けることにより、よりエラーの少ない信頼性の高い光ディスク装置を実現することができる。
【００９７】
（実施形態５）
図９は、本発明の光ディスク装置の他の実施形態を示すブロック図である。
【００９８】
図９に示す光ディスク装置５００は、図５に示す光ディスク装置２００の構成要素に加え、セレクタ部７６をさらに備える。セレクタ部７６は、セレクタ７７と、比較器７８とを備える。
【００９９】
アドレスデコーダ５６はアドレス信号５６ａをセレクタ７７へ出力し、アドレスデコーダ７４はアドレス信号７４ａをセレクタ７７へ出力する。
【０１００】
アドレスデコーダ５６は、コンパレータ５３から出力された二値化信号からアドレス情報を復号するとき、パリティ情報を検出し、受け取ったデータが誤っているか否かを判定する。アドレスデコーダ５６は、受け取ったデータが誤っていると判定した場合は、誤り検出信号ＰＴ１を比較器７８へ出力する。同様に、アドレスデコーダ７４は、コンパレータ７３から出力された二値化信号からアドレス情報を復号するとき、パリティ情報を検出し、受け取ったデータが誤っているか否かを判定する。アドレスデコーダ７４は、受け取ったデータが誤っていると判定した場合は、誤り検出信号ＰＴ２を比較器７８へ出力する。
【０１０１】
比較器７８は、誤り検出信号ＰＴ１およびＰＴ２を受け取り、二次高調波信号ＨＭ２からアドレス情報を検出するときの誤り率Ｅ1と、ＬＰＰ信号４３ａからアドレス情報を検出するときの誤り率Ｅ2とを比較する。誤り率Ｅ1が誤り率Ｅ2よりも低い場合は、比較器７８は、アドレス信号７４ａを選択するようにセレクタ７７を制御する。反対に、誤り率Ｅ1が誤り率Ｅ2よりも高い場合は、比較器７８は、アドレス信号５６ａを選択するようにセレクタ７７を制御する。セレクタ７７は、比較器７８の制御に応じて、アドレス信号５６ａおよびアドレス信号７４ａの一方を選択して出力する。なお、誤り率Ｅ1と誤り率Ｅ2とが等しいときは、アドレス信号５６ａおよびアドレス信号７４ａのどちらを選択してもよい。
【０１０２】
図１Ａおよび図２Ａ〜図２Ｃを参照して説明したように、ＬＰＰは１フレームユニットの先頭部に集中的に形成されており、ＳＴＷ形状は１フレームユニット全体に渡って繰り返し形成されている。このため、ＬＰＰの真上にゴミ等が付着した場合、そのＬＰＰからは情報を読み取れない可能性が高い。一方、指紋のような広域に分散する汚れが光ディスク媒体１００に付着した場合は、ＳＴＷ形状からは情報を読み取れないがＬＰＰからは情報を読みとれる場合がある。このように、ゴミ、汚れおよびキズ等によって、誤り率Ｅ1および誤り率Ｅ2は変化する。アドレス信号を生成するときの誤り率に応じてアドレス信号５６ａおよびアドレス信号７４ａを使い分けることにより、よりエラーの少ない信頼性の高い光ディスク装置を実現することができる。
【産業上の利用可能性】
【０１０３】
本発明の光ディスク媒体は、優れたＳＮ特性を発揮することができ、高倍速記録再生に対応した追記型または書き換え型の光ディスク媒体、および複数の記録層を備えた光ディスク媒体（ハイビジョン映像録画用の大容量光ディスク媒体等）の分野で特に好適に用いられる。
【図面の簡単な説明】
【０１０４】
【図１Ａ】本発明の実施形態１による光ディスク媒体が備える記録層の一部を拡大して示す平面図である。
【図１Ｂ】本発明の実施形態１による光ディスク媒体の一部を立体的に示す斜視図である。
【図２Ａ】本発明の実施形態１によるフレームユニットを表すテーブルを示す図である。
【図２Ｂ】本発明の実施形態１によるフレームユニットを表すテーブルを示す図である。
【図２Ｃ】本発明の実施形態１によるフレームユニットを表すテーブルを示す図である。
【図３】本発明の実施形態１によるワードユニットを表すテーブルを示す図である。
【図４】本発明の実施形態１によるブロックユニットを表すテーブルを示す図である。
【図５】本発明の実施形態２による光ディスク装置を示すブロック図である。
【図６】本発明の実施形態２による光ディスク装置の動作を示すタイミングチャートである。
【図７】本発明の実施形態３による光ディスク装置を示すブロック図である。
【図８】本発明の実施形態４による光ディスク装置を示すブロック図である。
【図９】本発明の実施形態５による光ディスク装置を示すブロック図である。
【図１０】従来の光ディスク媒体の記録層の一部を拡大して示す平面図である。
【符号の説明】
【０１０５】
１０    トラック
１１、１２    フレームユニット
２１、２２    ランドプレピット
１００    情報記録媒体
１０１    記録層
１１１    第１の蛇行形状
１１２    第２の蛇行形状
【手続補正３】
【補正対象書類名】図面
【補正対象項目名】全図
【補正方法】変更
【補正の内容】
【図１Ａ】
2005104106.tif 000014
【図１Ｂ】
2005104106.tif 000015
【図２Ａ】
2005104106.tif 000016
【図２Ｂ】
2005104106.tif 000017
【図２Ｃ】
2005104106.tif 000018
【図３】
2005104106.tif 000019
【図４】
2005104106.tif 000020
【図５】
2005104106.tif 000021
【図６】
2005104106.tif 000022
【図７】
2005104106.tif 000023
【図８】
2005104106.tif 000024
【図９】
2005104106.tif 000025
【図１０】
2005104106.tif 000026
【国際調査報告】
2005104106.tif 000027
2005104106.tif 000028
2005104106.tif 000029